(57)【要約】【課題】継続的に募金活動をできるようにする。【解決手段】本発明の一態様にかかる情報処理装置１００は、複数のアプリケーションを記憶するアプリケーション記憶部５１と、アプリケーションを実行する制御部４と、を有し、制御部４は、アプリケーション記憶部５１に記憶された複数のアプリケーションの中から所定のアプリケーションを起動する場合に、募金活動が可能な募金付広告を表示部１に表示し、募金付広告の表示後に、所定のアプリケーションを起動する。【選択図】図７
2016057671.tif 000002
【特許請求の範囲】
【請求項１】
複数のアプリケーションを記憶するアプリケーション記憶部と、
前記アプリケーションを実行する制御部と、を有し、
前記制御部は、
前記アプリケーション記憶部に記憶された複数のアプリケーションの中から所定のアプリケーションを起動する場合に、募金活動が可能な募金付広告を表示部に表示し、前記募金付広告の表示後に、前記所定のアプリケーションを起動する、ことを特徴とする情報処理装置。
【請求項２】
前記募金付広告を表示することが可能なアプリケーションを特定するアプリケーション情報を記憶する選択アプリケーション情報記憶部を有し、
前記制御部は、起動する前記所定のアプリケーションのアプリケーション情報が前記選択アプリケーション情報記憶部に記憶されている場合に、前記募金付広告を前記表示部に表示する、ことを特徴とする請求項１記載の情報処理装置。
【請求項３】
起動する前記所定のアプリケーションを選択する入力部と、
前記アプリケーション記憶部に記憶された複数のアプリケーションの中で前記募金付広告を表示することが可能なアプリケーションに、前記募金付広告を表示する処理を実行する広告表示プログラムを組み込むプログラム変更部と、を有し、
前記制御部は、前記入力部により選択された前記アプリケーションに前記広告表示プログラムが組み込まれている場合に、前記広告表示プログラムを実行し、前記募金付広告を前記表示部に表示する、ことを特徴とする請求項１または請求項２記載の情報処理装置。
【請求項４】
前記表示部は、前記アプリケーション記憶部に記憶されたアプリケーションのアイコンを表示しており、
前記表示部に表示されたアイコンのアプリケーションに対応する実行プログラムが格納されたリンク先である第１のリンク先情報を前記アイコンと対応付けて記憶することが可能なリンク先情報記憶部と、
前記リンク先情報記憶部に記憶されている前記第１のリンク先情報を、前記募金付広告を表示する処理を実行する広告表示プログラムが格納されたリンク先である第２のリンク先情報に変更するリンク先情報変更部と、
前記表示部に表示されたアイコンを選択する入力部と、を有し、
前記制御部は、前記表示部に表示されたアイコンが前記入力部により選択された場合に、前記リンク先情報記憶部を参照し、前記入力部により選択されたアイコンに対応付けられたリンク先情報が前記第２のリンク先情報である場合に、前記第２のリンク先情報を基に、前記広告表示プログラムを読み出して実行し、前記募金付広告を前記表示部に表示する、ことを特徴とする請求項１から請求項３の何れか１項に記載の情報処理装置。
【請求項５】
前記アプリケーション記憶部には、前記募金付広告の表示処理を実行する募金アプリケーションと、特定の処理を実行する少なくとも１つの利用アプリケーションと、を記憶しており、
前記表示部は、前記募金アプリケーションのアイコンである募金アイコンと、前記利用アプリケーションのアイコンである利用アイコンと、を表示しており、
前記表示部に表示されたアイコンを選択する入力部を有し、
前記制御部は、前記表示部に表示された前記利用アイコンを前記入力部により選択し、前記表示部に表示された前記募金アイコン上に移動させた場合に、前記募金付広告を前記表示部に表示する、ことを特徴とする請求項１から請求項４の何れか１項に記載の情報処理装置。
【請求項６】
前記アプリケーション記憶部には、前記募金付広告の表示処理を実行する募金アプリケーションと、特定の処理を実行する少なくとも１つの利用アプリケーションと、を記憶しており、
前記表示部は、前記募金アプリケーションのアイコンである募金アイコンと、前記利用アプリケーションのアイコンである利用アイコンと、を表示しており、
前記表示部に表示されたアイコンを選択する入力部を有し、
前記制御部は、前記表示部に表示された前記募金アイコンを前記入力部により選択し、前記表示部に表示された前記利用アイコン上に移動させた場合に、前記募金付広告を前記表示部に表示する、ことを特徴とする請求項１から請求項５の何れか１項に記載の情報処理装置。
【請求項７】
募金先を特定する募金先情報を記憶する選択募金先情報記憶部を有し、
前記制御部は、前記選択募金先情報記憶部に記憶された前記募金先情報を基に、前記募金先情報と前記募金付広告との対応関係を示す情報を記憶する記憶部を参照し、前記募金先情報に対応する募金付広告を特定し、該特定した募金付広告を前記表示部に表示し、
前記制御部は、前記表示部に表示した前記募金付広告のログ情報である広告表示情報に、前記募金先情報を含めて募金支援サーバに送信する、ことを特徴とする請求項１から請求項６の何れか１項に記載の情報処理装置。
【請求項８】
前記選択アプリケーション情報記憶部は、
前記アプリケーション情報と、募金先を特定する募金先情報と、を対応付けて記憶しており、
前記制御部は、前記選択アプリケーション情報記憶部に記憶された起動する前記所定のアプリケーションのアプリケーション情報に対応付けられた前記募金先情報を基に、前記募金先情報と前記募金付広告との対応関係を示す情報を記憶する記憶部を参照し、前記募金先情報に対応する募金付広告を特定し、該特定した募金付広告を前記表示部に表示し、
前記制御部は、前記表示部に表示した前記募金付広告のログ情報である広告表示情報に前記募金先情報を含めて募金支援サーバに送信する、ことを特徴とする請求項２から請求項６の何れか１項に記載の情報処理装置。
【請求項９】
前記記憶部は、
前記募金先情報と、前記募金先情報の前記募金先に募金を行う企業を特定する企業情報と、を対応付けて記憶する募金先企業対応情報記憶部と、
前記企業情報と、前記企業情報の前記企業が提供する募金付広告を特定する広告情報と、を対応付けて記憶する企業広告対応情報記憶部と、
前記広告情報に対応する募金付広告を記憶する募金付広告ファイル記憶部と、を有し、
前記制御部は、前記募金先情報を基に、前記募金先企業対応情報記憶部を参照し、前記募金先情報に対応付けられた前記企業情報を特定し、該特定した前記企業情報を基に、前記企業広告対応情報記憶部を参照し、前記企業情報に対応付けられた前記広告情報を特定し、該特定した前記広告情報を基に、前記募金付広告ファイル記憶部を参照し、前記広告情報に対応する募金付広告を特定し、該特定した募金付広告を前記表示部に表示する、ことを特徴とする請求項７または請求項８記載の情報処理装置。
【請求項１０】
前記アプリケーション記憶部には、募金付広告の表示処理を実行する募金アプリケーションと、特定の処理を実行する少なくとも１つの利用アプリケーションと、を記憶しており、
前記表示部は、前記募金アプリケーションのアイコンである募金アイコンと、前記利用アプリケーションのアイコンである利用アイコンと、を表示しており、
前記制御部は、前記表示部に表示された前記利用アイコンを前記入力部により選択し、前記表示部に表示された前記募金アイコン上に移動させた場合に、前記利用アイコンの利用アプリケーションのアプリケーション情報を前記選択アプリケーション情報記憶部に記憶する、ことを特徴とする請求項２記載の情報処理装置。
【請求項１１】
情報処理装置と、募金支援サーバと、を有して構成する募金支援システムであって、
前記情報処理装置は、
複数のアプリケーションを記憶するアプリケーション記憶部と、
前記アプリケーションを実行する制御部と、を有し、
前記制御部は、
前記アプリケーション記憶部に記憶された複数のアプリケーションの中から所定のアプリケーションを起動する場合に、募金活動が可能な募金付広告を表示部に表示し、前記募金付広告の表示後に、前記所定のアプリケーションを起動し、
前記表示部に表示した前記募金付広告のログ情報である広告表示情報を前記募金支援サーバに送信する、ことを特徴とする募金支援システム。
【請求項１２】
複数のアプリケーションを記憶するアプリケーション記憶部を有する情報処理装置の制御方法であって、
前記アプリケーション記憶部に記憶された複数のアプリケーションの中から所定のアプリケーションを起動する場合に、募金活動が可能な募金付広告を表示部に表示し、前記募金付広告の表示後に、前記所定のアプリケーションを起動する工程を有することを特徴とする制御方法。
【請求項１３】
複数のアプリケーションを記憶するアプリケーション記憶部を有する情報処理装置のコンピュータに実行させるプログラムであって、
前記アプリケーション記憶部に記憶された複数のアプリケーションの中から所定のアプリケーションを起動する場合に、募金活動が可能な募金付広告を表示部に表示し、前記募金付広告の表示後に、前記所定のアプリケーションを起動する処理を前記コンピュータに実行させることを特徴とするプログラム。
【発明の詳細な説明】
【技術分野】
【０００１】
本発明は、募金付広告を表示する技術に関する。
【背景技術】
【０００２】
従来、例えば、ユーザが情報処理装置を用いて企業のホームページにアクセスし、その企業のホームページ上に表示される募金先をユーザが情報処理装置を用いて選択することで、企業がユーザに代わって募金先に募金を行う技術がある。
【０００３】
しかし、上述した技術は、ユーザが情報処理装置を用いて企業のホームページにアクセスする必要がある。このため、ユーザに募金したい気持ちがあっても、日々の忙しい生活の中では、企業のホームページに継続的にアクセスして募金を行うことが難しくなってしまう場合が考えられる。
【０００４】
なお、本発明より先に出願された技術文献として、例えば、特許文献１（特開２００１−２８３０８２号公報）には、インターネット回線を使用して企業の広告を提供すると同時に募金を行う技術について開示されている。
【０００５】
特許文献１は、閲覧者が当システムのＷＷＷサーバ上に設置されているホームページにアクセスし、そのホームページ上に掲載してある協賛企業のリンクボタンをクリックすることで、バナー広告ページを表示する。そして、バナー広告をクリックすることで、募金を行うようにしている。これにより、閲覧者は、バナー広告をクリックするという操作を行うことで、募金を行うことを可能にしている。
【０００６】
また、特許文献２（特開２００１−０７５８１２号公報）には、オペレーティングシステム（ＯＳ）が起動される前に、特定のアプリケーションを実行し所定の表示を行うことで、広告等の情報を表示する技術について開示されている。
【０００７】
特許文献２は、ＯＳをローディングする前に、大容量記憶装置上に存在する特定のアプリケーションを実行し、ビデオクリップ等の表示を行うようにしている。これにより、オペレーティングシステム（ＯＳ）を起動する前に、広告等の情報を表示することを可能にしている。
【先行技術文献】
【特許文献】
【０００８】
【特許文献１】特開２００１−２８３０８２号公報
【特許文献２】特開２００１−０７５８１２号公報
【発明の概要】
【発明が解決しようとする課題】
【０００９】
特許文献１では、バナー広告をクリックするという操作を行うことで募金を行うことができる。
【００１０】
しかし、特許文献１では、閲覧者がホームページにアクセスし、そのホームページ上に掲載してある協賛企業のリンクボタンをクリックしてバナー広告ページを表示する必要がある。このため、特許文献１の技術では、募金を行う際は、閲覧者が毎回ホームページにアクセスする必要があり、継続的に募金を行うことが難しくなってしまう場合が考えられる。
【００１１】
また、特許文献２では、オペレーティングシステム（ＯＳ）が起動される前に、特定のアプリケーションを実行し所定の表示を行うことで、広告等の情報を表示することができる。
【００１２】
しかし、特許文献２では、ＯＳ起動時に広告等の情報が表示されるため、コンピュータを長期に使用しているユーザにとって、ＯＳ起動時の広告等の情報表示が煩わしく感じさせてしまう場合が考えられる。
【００１３】
本発明の目的は、継続的に募金活動をできるようにすることにある。
【課題を解決するための手段】
【００１４】
本発明にかかる情報処理装置は、
複数のアプリケーションを記憶するアプリケーション記憶部と、
前記アプリケーションを実行する制御部と、を有し、
前記制御部は、
前記アプリケーション記憶部に記憶された複数のアプリケーションの中から所定のアプリケーションを起動する場合に、募金活動が可能な募金付広告を表示部に表示し、前記募金付広告の表示後に、前記所定のアプリケーションを起動する、ことを特徴とする。
【発明の効果】
【００１５】
本発明によれば、継続的に募金活動をできるようにすることができる。
【図面の簡単な説明】
【００１６】
【図１】本実施形態の募金支援システムのシステム構成例を示す図である。
【図２】募金支援システムを構成する募金支援サーバ２００の構成例を示す図である。
【図３】募金先企業対応情報記憶部のデータ構成例を示す図である。
【図４】企業広告対応情報記憶部のデータ構成例を示す図である。
【図５】募金情報記憶部のデータ構成例を示す図である。
【図６】募金報告情報記憶部のデータ構成例を示す図である。
【図７】募金支援システムを構成する情報処理装置１００の構成例を示す図である。
【図８】選択募金先情報記憶部のデータ構成例を示す図である。
【図９】選択アプリケーション情報記憶部のデータ構成例を示す図である。
【図１０】広告表示情報記憶部のデータ構成例を示す図である。
【図１１】本実施形態の募金支援システムの処理動作例を示す図である。
【図１２】情報処理装置１００の表示部１に表示されるメニュー画面例を示す図である。
【図１３】情報処理装置１００の表示部１に表示される募金先選択画面例を示す図である。
【図１４】情報処理装置１００の表示部１に表示されるアプリケーション選択画面例を示す図である。
【図１５】情報処理装置１００の表示部１に表示される広告表示画面例を示す図である。
【図１６】情報処理装置１００の表示部１に表示される募金報告画面例を示す図である。
【図１７】第２の実施形態の情報処理装置１００の構成例を示す図である。
【図１８】第２の実施形態のアプリケーション記憶部５１に記憶されるアプリケーションのプログラム例を示す図である。
【図１９】プログラム設定変更元情報記憶部のデータ構成例を示す図である。
【図２０】第２の実施形態の募金支援システムの処理動作例を示す図である。
【図２１】第２の実施形態の情報処理装置１００の構成例を示す図である。
【図２２】リンク先情報記憶部のデータ構成例を示す図である。
【図２３】リンク先情報記憶部の第１のリンク先情報を第２のリンク先情報に変更した場合を示す図である。
【図２４】リンク先設定変更元情報記憶部のデータ構成例を示す図である。
【図２５】第３の実施形態の募金支援システムの処理動作例を示す図である。
【図２６】第４の実施形態の処理動作例を説明するための第１の図である。
【図２７】第４の実施形態の処理動作例を説明するための第２の図である。
【図２８】第５の実施形態の処理動作例を説明するための図である。
【図２９】第６の実施形態の処理動作例を説明するための図である。
【発明を実施するための形態】
【００１７】
（本発明の一態様にかかる募金支援システムの概要）
まず、図１、図７を参照しながら、本発明の一態様にかかる募金支援システムの概要について説明する。図１は、本発明の一態様にかかる募金支援システムのシステム構成例を示し、図７は、本発明の一態様にかかる情報処理装置の構成例を示す図である。
【００１８】
本発明の一態様にかかる募金支援システムは、図１に示すように、情報処理装置１００と、募金支援サーバ２００と、を有して構成する募金支援システムである。
【００１９】
本発明の一態様にかかる情報処理装置１００は、図７に示すように、アプリケーション記憶部５１と、制御部４と、を有して構成する。
【００２０】
アプリケーション記憶部５１は、複数のアプリケーションを記憶する。
【００２１】
制御部４は、アプリケーションを実行する。
【００２２】
また、制御部４は、アプリケーション記憶部５１に記憶された複数のアプリケーションの中から所定のアプリケーションを起動する場合に、募金活動が可能な募金付広告を表示部１に表示し、募金付広告の表示後に、所定のアプリケーションを起動する。また、制御部４は、表示部１に表示した募金付広告のログ情報である広告表示情報を募金支援サーバ２００に送信する。
【００２３】
本発明の一態様にかかる情報処理装置１００は、アプリケーション記憶部５１に記憶された複数のアプリケーションの中から所定のアプリケーションを起動する場合に、募金活動が可能な募金付広告を表示部１に表示し、募金付広告の表示後に、所定のアプリケーションを起動している。このため、情報処理装置１００にインストールされている複数のアプリケーションの中から所定のアプリケーションを使用する際に、募金活動が可能な募金付広告を表示することができる。その結果、継続的に募金活動をできるようにすることができる。また、情報処理装置１００にインストールされている複数のアプリケーションの中から所定のアプリケーションを使用する際に、募金活動が可能な募金付広告を表示するため、情報処理装置１００を使用するユーザに募金付広告の表示が煩わしく感じさせてしまわないようにすることができる。また、本発明の一態様にかかる情報処理装置１００は、表示部１に表示した募金付広告のログ情報である広告表示情報を募金支援サーバ２００に送信している。これにより、募金支援サーバ２００は、情報処理装置１００から受信した広告表示情報を基に、情報処理装置１００の表示部１に表示した募金付広告を把握し、その募金付広告に応じた募金の処理を行うことができる。以下、添付図面を参照しながら、本発明の一態様にかかる募金支援システムについて詳細に説明する。
【００２４】
＜募金支援システムのシステム構成例＞
まず、図１を参照しながら、本実施形態の募金支援システムのシステム構成例について説明する。図１は、本実施形態の募金支援システムのシステム構成例を示す図である。
【００２５】
本実施形態の募金支援システムは、情報処理装置１００、募金支援サーバ２００、募金先端末３００、企業端末４００がネットワークＮＷを介して接続して構成している。ネットワークＮＷは、有線、無線を問わずあらゆる通信形態が適用可能である。募金支援システムを構成する情報処理装置１００、募金支援サーバ２００、募金先端末３００、企業端末４００の数は特に限定せず、任意の数で構成することが可能である。
【００２６】
情報処理装置１００は、募金先に募金を行いたいユーザが使用する装置である。情報処理装置１００としては、スマートフォン、タブレットＰＣ、ノートＰＣ、デスクトップＰＣ等の各種装置があげられる。情報処理装置１００は、アプリケーションをインストールして使用することが可能な装置であれば、あらゆる装置が適用可能である。情報処理装置１００を使用する各ユーザは、情報処理装置１００に様々なアプリケーションをインストールして各アプリケーションを情報処理装置１００で使用することができる。
【００２７】
募金支援サーバ２００は、情報処理装置１００を使用するユーザの募金活動を支援するサーバである。募金支援サーバ２００は、募金、募金の集計、募金付広告を管理する。募金付広告は、情報処理装置１００を使用する各ユーザが募金活動を行うことを可能にする広告であり、情報処理装置１００で募金付広告を表示することで、第三者が情報処理装置１００のユーザに代わって募金先に募金を行うようにすることができる。第三者としては、募金付広告を提供する企業などがあげられる。募金支援サーバ２００は、募金付広告の表示処理を実行する募金アプリケーションを記憶している。募金アプリケーションは、企業端末４００の企業が提供している募金付広告を表示することで、企業がユーザに代わって募金先端末３００の募金先に募金を行うようにすることを可能にするアプリケーションである。情報処理装置１００は、募金支援サーバ２００に記憶されている募金アプリケーションをインストールし、情報処理装置１００で募金アプリケーションを実行することで、募金付広告を表示することになる。
【００２８】
募金先端末３００は、募金先が使用する端末である。募金先端末３００は、募金支援サーバ２００に各種情報を送信したり、募金支援サーバ２００から各種情報を受信したりする。
【００２９】
企業端末４００は、募金付広告主の企業が使用する端末である。企業端末４００は、募金支援サーバ２００に各種情報を送信したり、募金支援サーバ２００から各種情報を受信したりする。
【００３０】
＜募金支援サーバ２００の構成例＞
次に、図２を参照しながら、本実施形態の募金支援サーバ２００の構成例について説明する。図２は、本実施形態の募金支援サーバ２００の構成例を示す図である。
【００３１】
本実施形態の募金支援サーバ２００は、通信部１１、制御部１２、記憶部１３を有して構成している。通信部１１は、ネットワークＮＷに接続し、情報処理装置１００、募金先端末３００、企業端末４００と通信を行う。制御部１２は、募金支援サーバ２００を統括して制御する。記憶部１３は、各種情報を記憶する。
【００３２】
記憶部１３は、アプリケーション記憶部１３１、募金先企業対応情報記憶部１３２、企業広告対応情報記憶部１３３、募金付広告ファイル記憶部１３４、募金情報記憶部１３５、募金報告情報記憶部１３６を有している。
【００３３】
アプリケーション記憶部１３１は、情報処理装置１００にインストールしてユーザが使用する各種のアプリケーションを記憶する。本実施形態の募金支援サーバ２００は、募金アプリケーションをアプリケーション記憶部１３１に記憶している。
【００３４】
募金先企業対応情報記憶部１３２は、図３に示すように、募金先情報と企業情報とを対応付けた募金先企業対応情報を記憶する。募金先情報は、募金先を一意に特定するための識別情報である。企業情報は、企業を一意に特定するための識別情報である。募金先企業対応情報記憶部１３２は、募金先情報と企業情報とを対応付けて記憶しているため、どの企業がどの募金先に募金を行うのかを特定することができる。例えば、図３では、「Ｃ社」、「Ｄ社」の企業が「Ａ団体」の募金先に募金を行うことになる。
【００３５】
企業広告対応情報記憶部１３３は、図４に示すように、企業情報と広告情報と募金金額とを対応付けた企業広告対応情報を記憶する。広告情報は、募金付広告を一意に特定するための識別情報である。募金金額は、募金付広告を１回表示することで募金する金額である。企業広告対応情報記憶部１３３は、企業情報と広告情報と募金金額とを対応付けて記憶しているため、どの企業がどの募金付広告を提供しているのかを特定することができる。また、募金付広告を１回表示することでいくらの募金を行うのかを特定することができる。例えば、図４では、「Ｃ社」の企業が「Ｅチョコ．ｍｏｖ」、「Ｆクッキー．ｍｏｖ」、「Ｇアイス．ｍｏｖ」の募金付広告を提供しており、「Ｅチョコ．ｍｏｖ」の募金付広告を１回表示すると、１円の募金を行うようにすることになる。また、「Ｆクッキー．ｍｏｖ」の募金付広告を１回表示すると、２円の募金を行うようにすることになる。また、「Ｇアイス．ｍｏｖ」の募金付広告を１回表示すると、３円の募金を行うようにすることになる。
【００３６】
募金付広告ファイル記憶部１３４は、企業広告対応情報記憶部１３３に記憶されている広告情報に対応する募金付広告ファイルを記憶する。募金付広告ファイルは、募金付広告を表示する際に使用するデータであり、情報処理装置１００は、この募金付広告ファイルを基に、募金付広告を表示することになる。
【００３７】
募金情報記憶部１３５は、募金情報を記憶する。募金情報は、図５に示すように、募金先情報、企業情報、募金金額、広告情報、広告表示回数等で構成する。これにより、どの募金先にどの企業がどの程度の募金金額を募金するかを把握することができる。また、どの募金付広告が何回表示されたのかを把握することができる。
【００３８】
募金報告情報記憶部１３６は、募金報告情報を記憶する。募金報告情報は、図６に示すように、企業情報、募金先情報、募金金額、募金した日時情報等で構成する。これにより、どの企業がどの募金先にどの程度の募金金額をいつ募金したのかを把握することができる。
【００３９】
＜情報処理装置１００の構成例＞
次に、図７を参照しながら、本実施形態の情報処理装置１００の構成例について説明する。図７は、本実施形態の情報処理装置１００の構成例を示す図である。
【００４０】
本実施形態の情報処理装置１００は、表示部１、入力部２、通信部３、制御部４、記憶部５を有して構成している。表示部１は、各種情報を表示する。入力部２は、各種情報を入力する。通信部３は、ネットワークＮＷに接続し、募金支援サーバ２００と通信を行う。制御部４は、情報処理装置１００を統括して制御する。記憶部５は、各種情報を記憶する。
【００４１】
記憶部５は、アプリケーション記憶部５１、募金先企業対応情報記憶部５２、企業広告対応情報記憶部５３、募金付広告ファイル記憶部５４、選択募金先情報記憶部５５、選択アプリケーション情報記憶部５６、広告表示情報記憶部５７、募金報告情報記憶部５８を有している。
【００４２】
アプリケーション記憶部５１は、情報処理装置１００で使用する各種のアプリケーションを記憶する。情報処理装置１００の制御部４は、募金支援サーバ２００のアプリケーション記憶部１３１に記憶されているアプリケーションをインストールしてアプリケーション記憶部５１に記憶する。これにより、情報処理装置１００の制御部４は、アプリケーション記憶部５１に記憶されたアプリケーションを実行し、アプリケーションを使用可能な状態にすることができる。アプリケーションの使用可能な状態としては、例えば、表示部１にアプリケーションの操作画面や音楽、画像等のコンテンツ画面を表示したり、音楽、画像等のコンテンツを再生したりする状態があげられる。なお、情報処理装置１００で使用するアプリケーションの取得先は、募金支援サーバ２００に限定せず、様々なサイトから取得してアプリケーション記憶部５１に記憶することが可能である。また、情報処理装置１００の出荷時に各種のアプリケーションを予めアプリケーション記憶部５１に記憶させておくことも可能である。
【００４３】
本実施形態の情報処理装置１００の制御部４は、募金支援サーバ２００のアプリケーション記憶部１３１に記憶されている募金アプリケーションをインストールしてアプリケーション記憶部５１に記憶する。これにより、情報処理装置１００のユーザは、アプリケーション記憶部５１に記憶された募金アプリケーションを実行して募金活動を行うことができる。
【００４４】
募金先企業対応情報記憶部５２は、募金先情報と企業情報とを対応付けた募金先企業対応情報を記憶する。情報処理装置１００の制御部４は、募金支援サーバ２００の募金先企業対応情報記憶部１３２に記憶されている募金先企業対応情報を取得し、情報処理装置１００の募金先企業対応情報記憶部５２に記憶する。これにより、募金先企業対応情報記憶部５２は、図３に示すように、募金先情報と企業情報とを対応付けて記憶するため、どの企業がどの募金先に募金を行うのかを特定することができる。
【００４５】
企業広告対応情報記憶部５３は、企業情報と広告情報と募金金額とを対応付けた企業広告対応情報を記憶する。情報処理装置１００の制御部４は、募金支援サーバ２００の企業広告対応情報記憶部１３３に記憶されている企業広告対応情報を取得し、情報処理装置１００の企業広告対応情報記憶部５３に記憶する。これにより、企業広告対応情報記憶部５３は、図４に示すように、企業情報と広告情報と募金金額とを対応付けて記憶するため、どの企業がどの募金付広告を提供しているのかを特定することができる。また、募金付広告を表示部１に１回表示することでいくらの募金が行われるのかを特定することができる。
【００４６】
募金付広告ファイル記憶部５４は、募金付広告ファイルを記憶する。情報処理装置１００の制御部４は、募金支援サーバ２００の募金付広告ファイル記憶部１３４に記憶されている募金付広告ファイルを取得し、情報処理装置１００の募金付広告ファイル記憶部５４に記憶する。情報処理装置１００の制御部４は、企業広告対応情報記憶部５３に記憶されている広告情報に対応する募金付広告ファイルを募金付広告ファイル記憶部５４から読み出し、その読み出した募金付広告ファイルを基に、募金付広告を表示部１に表示することになる。
【００４７】
選択募金先情報記憶部５５は、図８に示すように、募金対象の募金先の募金先情報を記憶する。情報処理装置１００の制御部４は、選択募金先情報記憶部５５に記憶された募金先情報を基に、募金対象の募金先を特定することになる。例えば、図８では、募金対象の募金先として、「Ａ団体」の募金先を特定することになる。
【００４８】
選択アプリケーション情報記憶部５６は、図９に示すように、募金付広告を表示するアプリケーションのアプリケーション情報を記憶する。情報処理装置１００の制御部４は、選択アプリケーション情報記憶部５６に記憶されたアプリケーション情報を基に、募金付広告を表示するアプリケーションを特定することになる。例えば、図９では、募金付広告を表示するアプリケーションとして、「Ｐゲーム」のアプリケーションを特定することになる。
【００４９】
広告表示情報記憶部５７は、表示部１に表示した募金付広告のログ情報である広告表示情報を記憶する。広告表示情報は、例えば、図１０に示すように、募金先の募金先情報、表示部１に表示した募金付広告の広告情報、表示部１に表示した募金付広告を提供する企業の企業情報、募金付広告を表示部１に表示した日時情報、その募金付広告の募金金額等があげられる。これにより、図１０に示す広告表示情報を基に、募金先、表示した募金付広告、表示した募金付広告の企業、募金付広告の表示日時、募金金額等を把握することができる。また、広告表示情報記憶部５７に記憶した広告表示情報の履歴を基に、情報処理装置１００の表示部１に表示した各募金付広告の表示回数等を特定することもできる。表示回数は、広告表示情報記憶部５７に記憶された同一の広告情報の累計数を算出することで求めることができる。また、広告表示情報記憶部５７に記憶した広告表示情報の履歴を基に、どの募金先にどの程度の募金金額をどの企業が募金するのかを特定することもできる。
【００５０】
募金報告情報記憶部５８は、募金報告情報を記憶する。情報処理装置１００の制御部４は、募金支援サーバ２００の募金報告情報記憶部１３６に記憶されている募金報告情報を取得し、情報処理装置１００の募金報告情報記憶部５８に記憶する。これにより、募金報告情報記憶部５８は、図６に示すように、企業情報、募金先情報、募金金額、日時情報等で構成する募金報告情報を記憶するため、どの企業がどの募金先にどの程度の募金金額をいつ募金したのかを把握することができる。
【００５１】
＜募金支援システムの処理動作例＞
次に、図１１を参照しながら、本実施形態の募金支援システムの処理動作例について説明する。
【００５２】
まず、情報処理装置１００の制御部４は、募金支援サーバ２００のアプリケーション記憶部１３１に記憶された募金アプリケーションを募金支援サーバ２００から取得し、情報処理装置１００にインストールして情報処理装置１００のアプリケーション記憶部５１に記憶する（ステップＳ１）。
【００５３】
また、情報処理装置１００の制御部４は、募金支援サーバ２００の募金先企業対応情報記憶部１３２に記憶された募金先企業対応情報を募金支援サーバ２００から取得し、情報処理装置１００の募金先企業対応情報記憶部５２に記憶する。また、情報処理装置１００の制御部４は、募金支援サーバ２００の企業広告対応情報記憶部１３３に記憶された企業広告対応情報を募金支援サーバ２００から取得し、情報処理装置１００の企業広告対応情報記憶部５３に記憶する。また、情報処理装置１００の制御部４は、募金支援サーバ２００の募金付広告ファイル記憶部１３４に記憶された募金付広告ファイルを募金支援サーバ２００から取得し、情報処理装置１００の募金付広告ファイル記憶部５４に記憶する。
【００５４】
情報処理装置１００の募金先企業対応情報記憶部５２、企業広告対応情報記憶部５３、募金付広告ファイル記憶部５４に記憶される各種情報は、既定のタイミングで情報処理装置１００の制御部４が募金支援サーバ２００から募金先企業対応情報、企業広告対応情報、募金付広告ファイルの少なくとも１つを取得して更新することになる。但し、募金支援サーバ２００の募金先企業対応情報記憶部１３２、企業広告対応情報記憶部１３３、募金付広告ファイル記憶部１３４に記憶される各種情報が更新されていない場合は、情報処理装置１００の制御部４は、各種情報を募金支援サーバ２００から取得する必要はない。また、既定のタイミングとしては、例えば、募金アプリケーションをインストールする時、予め決められた時間（例えば、２２:００時）、予め決められた時間間隔（例えば、２４時間毎）、情報処理装置１００がネットワークＮＷに接続されて募金支援サーバ２００と通信可能となった時、後述する図１２に示すメニュー画面６０の「募金活動終了」６５を選択した時、図１２に示すメニュー画面６０の「募金活動開始」６４を選択した時などがあげられる。また、上述した複数のタイミングを組み合わせてもよい。
【００５５】
情報処理装置１００の制御部４は、募金アプリケーションをアプリケーション記憶部５１に記憶すると、その募金アプリケーションのアイコンを表示部１に表示する。これにより、情報処理装置１００を使用するユーザは、表示部１に表示された募金アプリケーションのアイコンを入力部２により選択し、募金アプリケーションを実行することになる。募金アプリケーションのアイコンを選択する方法としては、例えば、表示部１に表示された募金アプリケーションのアイコンをクリックして選択する方法、表示部１に表示された募金アプリケーションのアイコンをタップして選択する方法があげられる。但し、募金アプリケーションを実行することが可能であれば、その選択方法は特に限定せず、任意の方法で選択することが可能である。
【００５６】
情報処理装置１００の制御部４は、募金アプリケーションのアイコンが入力部２により選択されると、募金アプリケーションを実行し、募金を開始するためのメニュー画面を表示部１に表示する。例えば、図１２に示すメニュー画面６０を表示部１に表示する。図１２に示すメニュー画面６０は、「募金先の選択」６１、「募金付広告を表示するアプリケーションの選択」６２、「募金報告」６３、「募金活動開始」６４、「募金活動終了」６５の選択項目を含んで構成している。「募金先の選択」６１は、募金先を選択するための募金先選択画面を表示部１に表示するための選択項目である。「募金付広告を表示するアプリケーションの選択」６２は、募金付広告を表示するアプリケーションを選択するためのアプリケーション選択画面を表示部１に表示するための選択項目である。「募金報告」６３は、募金結果を閲覧するための募金報告画面を表示部１に表示するための選択項目である。「募金活動開始」６４は、情報処理装置１００において募金活動を開始するための選択項目である。「募金活動終了」６５は、情報処理装置１００において募金活動を終了するための選択項目である。
【００５７】
情報処理装置１００の制御部４は、図１２に示すメニュー画面６０の中から「募金先の選択」６１が入力部２により選択されると、募金先を選択するための募金先選択画面を表示部１に表示する。例えば、図１３に示す募金先選択画面７０を表示部１に表示する。図１３に示す募金先選択画面７０は、情報処理装置１００の募金先企業対応情報記憶部５２に記憶されている募金先情報の中から募金対象の募金先情報を選択するための画面であり、募金先企業対応情報記憶部５２に記憶されている募金先情報の一覧が募金先選択画面７０に表示される。募金先情報は、募金先を一意に特定するための識別情報である。情報処理装置１００の制御部４は、図１３に示す募金先選択画面７０に表示された募金先情報の一覧の中から少なくとも１つ以上の募金先情報が入力部２により選択され、決定ボタン７１が入力部２により選択された場合に、その選択された募金先情報を選択募金先情報記憶部５５に記憶する（ステップＳ２）。これにより、募金対象の募金先情報が選択募金先情報記憶部５５に記憶され、募金対象の募金先が決定されることになる。
【００５８】
また、情報処理装置１００の制御部４は、図１２に示すメニュー画面６０の中から「募金付広告を表示するアプリケーションの選択」６２が入力部２により選択されると、募金付広告を表示するアプリケーションを選択するためのアプリケーション選択画面を表示部１に表示する。例えば、図１４に示すアプリケーション選択画面７２を表示部１に表示する。図１４に示すアプリケーション選択画面７２は、アプリケーション記憶部５１に記憶された募金アプリケーション以外のアプリケーションの中から募金付広告を表示するアプリケーションを選択するための画面であり、アプリケーション記憶部５１に記憶されているアプリケーションを一意に特定するアプリケーション情報の一覧がアプリケーション選択画面７２に表示される。アプリケーション情報は、アプリケーションを一意に特定するための識別情報である。情報処理装置１００の制御部４は、図１４に示すアプリケーション選択画面７２に表示されたアプリケーション情報の一覧の中から少なくとも１つ以上のアプリケーション情報が入力部２により選択され、決定ボタン７３が入力部２により選択された場合に、その選択されたアプリケーション情報を選択アプリケーション情報記憶部５６に記憶する（ステップＳ３）。これにより、募金付広告を表示するアプリケーションのアプリケーション情報が選択アプリケーション情報記憶部５６に記憶され、募金付広告を表示するアプリケーションが決定されることになる。
【００５９】
情報処理装置１００の制御部４は、募金先情報が選択募金先情報記憶部５５に記憶され、アプリケーション情報が選択アプリケーション情報記憶部５６に記憶されると、図１２に示すメニュー画面６０の「募金活動開始」６４の選択項目を選択可能に表示する。これにより、情報処理装置１００のユーザは、図１２に示すメニュー画面６０の「募金活動開始」６４の選択項目を選択して募金活動を開始することができる。なお、情報処理装置１００のユーザが、図１２に示すメニュー画面６０の「募金活動開始」６４の選択項目を選択し、情報処理装置１００において募金活動が開始されている状態の場合は、情報処理装置１００の制御部４は、図１２に示すメニュー画面６０の「募金活動終了」６５の選択項目を選択可能に表示する。これにより、情報処理装置１００のユーザは、図１２に示すメニュー画面６０の「募金活動終了」６５の選択項目を選択して募金活動を終了することができる。
【００６０】
情報処理装置１００の制御部４は、図１２に示すメニュー画面６０の「募金活動開始」６４が入力部２により選択されると、図１２に示すメニュー画面６０を閉じ、募金アプリケーションの監視プログラムを実行し、募金活動を開始する（ステップＳ４）。監視プログラムは、情報処理装置１００のアプリケーション記憶部５１に記憶されている募金アプリケーション以外のアプリケーション（以下、利用アプリケーションと呼ぶ）の起動や起動指示を監視するプログラムである。利用アプリケーションは、情報処理装置１００のアプリケーション記憶部５１に記憶されている募金アプリケーション以外の各種のアプリケーションであり、例えば、ゲームを行うアプリケーション、ニュースサイトにアクセスするアプリケーション、ショッピングサイトにアクセスするアプリケーション、音楽や画像等のコンテンツを再生するアプリケーション等の各種のアプリケーションがあげられる。利用アプリケーションの起動は、例えば、入力部２により利用アプリケーションの起動指示が行われた場合に開始する。利用アプリケーションの起動指示は、例えば、表示部１に表示された利用アプリケーションのアイコンを入力部２により選択して実行する操作があげられる。アイコンの選択は、クリック操作、タップ操作で選択する方法があげられる。
【００６１】
情報処理装置１００の制御部４は、監視プログラムにより、利用アプリケーションの起動または起動指示を検知した場合に（ステップＳ５／Ｙｅｓ）、その検知した利用アプリケーションの起動を一時停止し、その検知した利用アプリケーションが、選択アプリケーション情報記憶部５６に記憶されているか否か判定する（ステップＳ６）。情報処理装置１００の制御部４は、監視プログラムが検知した利用アプリケーションが選択アプリケーション情報記憶部５６に記憶されていない場合は（ステップＳ６／Ｎｏ）、検知した利用アプリケーションが募金付広告を表示することが可能なアプリケーションでないと判定する。この場合、情報処理装置１００の制御部４は、利用アプリケーションの一時停止を解除し、利用アプリケーションを起動し、利用アプリケーションを使用可能な状態にする（ステップＳ７）。これにより、情報処理装置１００のユーザは、利用アプリケーションを情報処理装置１００で使用することができる。また、情報処理装置１００の制御部４は、監視プログラムが検知した利用アプリケーションが選択アプリケーション情報記憶部５６に記憶されている場合は（ステップＳ６／Ｙｅｓ）、その検知した利用アプリケーションが募金付広告を表示することが可能なアプリケーションであると判定する。この場合、情報処理装置１００の制御部４は、選択募金先情報記憶部５５を参照し、選択募金先情報記憶部５５に記憶されている募金先情報を基に、募金先企業対応情報記憶部５２を参照し、募金先情報に対応付けられた企業情報を募金先企業対応情報記憶部５２から特定する。企業情報は、企業を一意に特定するための識別情報である。そして、情報処理装置１００の制御部４は、募金先企業対応情報記憶部５２から特定した企業情報を基に、企業広告対応情報記憶部５３を参照し、企業情報に対応付けられた広告情報の中から既定の順番で広告情報を企業広告対応情報記憶部５３から読み出す。そして、情報処理装置１００の制御部４は、企業広告対応情報記憶部５３から読み出した広告情報を基に、募金付広告ファイル記憶部５４を参照し、広告情報に対応する募金付広告ファイルを募金付広告ファイル記憶部５４から読み出し、その募金付広告ファイルを基に、例えば、図１５に示す広告表示画面７４に募金付広告７５を表示する（ステップＳ８）。図１５に示す広告表示画面７４は、募金付広告７５を表示部１に表示するための画面例である。図１５では、Ｄ社の「Ｈハイブリッドカー．ｍｏｖ」の募金付広告７５を表示した場合を示している。また、図１５では、「Ａ団体に１円募金依頼完了」の情報を募金付広告７５と共に表示した画面例を示している。募金付広告７５に応じた募金金額は、企業広告対応情報記憶部５３で広告情報に対応付けられた募金金額を基に決定する。図１５では、Ｄ社の「Ｈハイブリッドカー．ｍｏｖ」の募金付広告７５を表示しているため、図４に示すように、企業広告対応情報記憶部５３で「Ｈハイブリッドカー．ｍｏｖ」の広告情報に対応付けられた「１円」の募金金額を基に決定することになる。
【００６２】
本実施形態では、図４に示すように、広告情報に対応付けて募金金額を企業広告対応情報記憶部５３に記憶し、表示部１に表示した募金付広告に応じた募金金額を募金するようにしている。しかし、例えば、募金先企業対応情報記憶部５２で企業情報に対応付けて募金金額を記憶し、表示部１に表示した募金付広告の企業に応じた募金金額を、表示部１に表示した募金付広告に応じた募金金額として募金するようにすることも可能である。また、募金先企業対応情報記憶部５２で募金先情報に対応付けて募金金額を記憶し、表示部１に表示した募金付広告の企業に対応する募金先に応じた募金金額を、表示部１に表示した募金付広告に応じた募金金額として募金するようにすることも可能である。このように、募金付広告に応じた募金金額の決定方法は特に限定せず、任意の方法で決定することが可能である。
【００６３】
また、図１５に示す「Ａ団体に１円募金依頼完了」の情報は、募金付広告を表示部１に表示した後に、表示部１に表示するようにすることも可能である。
【００６４】
既定の順番で広告情報を企業広告対応情報記憶部５３から読み出す方法としては、例えば、予め決められた順番で広告情報を企業広告対応情報記憶部５３から読み出す方法がある。また、ランダムに広告情報を企業広告対応情報記憶部５３から読み出す方法がある。但し、募金先企業対応情報記憶部５２において募金先情報に対応付けられた企業情報が複数ある場合は、その募金先情報に対応付けられた各企業情報の企業の募金付広告の表示回数が均等になるようにすることが好ましい。例えば、情報処理装置１００の募金先企業対応情報記憶部５２に図３に示すような情報が記憶されている場合は、「Ａ団体」の募金先情報に対して、「Ｃ社」、「Ｄ社」の２つの企業情報が対応付けられていることになる。この場合、情報処理装置１００の制御部４は、「Ｃ社」、「Ｄ社」の募金付広告の表示回数が均等になるようにする。また、選択募金先情報記憶部５５に記憶されている募金先情報が複数ある場合は、各募金先情報の募金先の募金回数が均等になるようにすることが好ましい。
【００６５】
情報処理装置１００の制御部４は、図１５に示す広告表示画面７４を表示部１に表示した場合に、利用アプリケーションの一時停止を解除し、利用アプリケーションを起動し、利用アプリケーションを使用可能な状態にする（ステップＳ９）。これにより、情報処理装置１００のユーザは、募金付広告を表示部１に表示した後に、その利用アプリケーションを情報処理装置１００で使用することができる。
【００６６】
また、情報処理装置１００の制御部４は、図１５に示す広告表示画面７４を表示部１に表示した後に、その広告表示画面７４を表示した時のログ情報である広告表示情報を広告表示情報記憶部５７に記憶する（ステップＳ１０）。広告表示情報としては、例えば、募金先の募金先情報、表示部１に表示した募金付広告の広告情報、表示部１に表示した募金付広告の企業の企業情報、募金付広告を表示部１に表示した日時情報、その募金付広告の募金金額等があげられる。これにより、広告表示情報を基に、募金先、表示した募金付広告、表示した募金付広告の企業、募金付広告の表示日時、募金金額等を把握することができる。また、広告表示情報記憶部５７に記憶した広告表示情報の履歴を基に、各募金付広告の表示回数等を把握することもできる。
【００６７】
情報処理装置１００の制御部４は、既定のタイミングで、広告表示情報記憶部５７に記憶された広告表示情報を通信部３からネットワークＮＷ経由で募金支援サーバ２００に送信し、表示部１に表示した募金付広告に応じた募金金額の情報を募金支援サーバ２００に送信する（ステップＳ１１）。この時、情報処理装置１００の制御部４は、同じ広告表示情報を募金支援サーバ２００に送信しないように、送信済みの広告表示情報に送信済みフラグを立てる。なお、既定のタイミングとしては、例えば、予め決められた時間（例えば、２２:００時）、予め決められた時間間隔（例えば、２４時間毎）、情報処理装置１００がネットワークＮＷに接続されて募金支援サーバ２００と通信可能となった時、図１２に示すメニュー画面６０の「募金活動終了」６５を選択した時、図１２に示すメニュー画面の「募金活動開始」６４を選択した時、広告表示情報記憶部５７に新たな広告表示情報が記憶された時などがあげられる。また、上述した複数のタイミングを組み合わせてもよい。
【００６８】
募金支援サーバ２００の制御部１２は、情報処理装置１００から広告表示情報を受信すると、その広告表示情報を基に、募金情報記憶部１３５に記憶されている募金情報を更新する（ステップＳ１２）。募金情報は、募金先情報、企業情報、募金金額、広告情報、広告表示回数等で構成し、どの募金先にどの企業がどの程度の募金金額を募金するかを把握することができる。また、どの募金付広告が何回表示されたのかを把握することができる。募金支援サーバ２００の制御部１２は、情報処理装置１００から広告表示情報を受信すると、広告表示情報に含まれる広告情報、募金先情報、企業情報を基に、その広告情報、募金先情報、企業情報に対応付けられた広告表示回数、募金金額を更新する。これにより、情報処理装置１００において募金付広告を表示した表示回数分だけ募金情報記憶部１３５に記憶されている広告表示回数を加算して更新することができる。また、情報処理装置１００において表示された募金付広告に応じた募金金額分だけ募金情報記憶部１３５に記憶されている募金金額を加算して更新することができる。
【００６９】
募金支援サーバ２００の制御部１２は、既定のタイミングで、募金情報記憶部１３５に記憶された募金情報に含まれる企業情報を基に、その企業情報に対応する企業端末４００を特定し、その特定した企業端末４００に募金情報を送信する（ステップＳ１３）。これにより、企業端末４００は、募金支援サーバ２００から受信した募金情報を基に、どの募金先にどの程度の募金金額を募金するかを把握することができる。また、企業端末４００は、募金情報を基に、どの募金付広告が何回表示されたのかを把握することができる。企業端末４００は、募金情報を基に募金先の銀行口座等に募金金額を振込処理等で募金し（ステップＳ１４）、募金先に募金した際の情報を募金支援サーバ２００に送信する（ステップＳ１５）。これにより、募金支援サーバ２００は、企業が募金先に募金したことを把握することができる。なお、企業端末４００は、振込伝票のなどの募金先に募金したことを確証する証明書情報を募金支援サーバ２００に送信することが好ましい。これにより、募金支援サーバ２００は、企業が募金先に募金したことを確証する証明書情報を情報処理装置１００のユーザに提供することもできる。募金支援サーバ２００の制御部１２は、募金先に募金した際の情報を企業端末４００から受け付けた場合に、募金報告情報を作成し、募金報告情報記憶部１３６に記憶する（ステップＳ１６）。募金報告情報は、企業情報、募金先情報、募金金額、募金した日時情報等で構成する。これにより、どの企業がどの募金先にどの程度の募金金額をいつ募金したのかを把握することができる。なお、企業から募金された際の情報を募金先の端末である募金先端末３００から募金支援サーバ２００に送信することも可能である。この場合は、募金支援サーバ２００の制御部１２は、企業から募金された際の情報を募金先端末３００から受け付けた場合に、募金報告情報を作成し、募金報告情報記憶部１３６に記憶することになる。
【００７０】
情報処理装置１００の制御部４は、募金支援サーバ２００の募金報告情報記憶部１３６に記憶された募金報告情報を取得し、情報処理装置１００の募金報告情報記憶部５８に記憶する（ステップＳ１７）。募金報告情報の取得タイミングは特に限定せず、任意のタイミングで募金報告情報を取得する。例えば、情報処理装置１００の制御部４が広告表示情報を募金支援サーバ２００に送信したタイミングで、募金報告情報を募金支援サーバ２００から取得する。募金支援サーバ２００から取得する募金報告情報は、情報処理装置１００の選択募金先情報記憶部５５に記憶されている募金先情報に対応する募金報告情報を取得する。これにより、情報処理装置１００のユーザは、ユーザ自身が選択した募金先に対してどの企業がどの程度の募金金額をいつ募金したのかを把握することができる。
【００７１】
情報処理装置１００の制御部４は、募金アプリケーションのアイコンが入力部２により選択された場合に、募金アプリケーションを実行し、図１２に示すメニュー画面６０を表示部１に表示する。情報処理装置１００の制御部４は、図１２に示すメニュー画面６０の「募金報告」６３の選択項目が入力部２により選択された場合に、募金報告要求を受け付けたと判断し（ステップＳ１８／Ｙｅｓ）、募金報告情報記憶部５８に記憶されている募金報告情報を基に、図１６に示す募金報告画面７６を表示部１に表示する。これにより、情報処理装置１００のユーザは、いつ、どの企業が、どの募金先に対して、どの程度の募金金額を募金したのかを把握することができる。なお、図１６に示す募金報告画面７６の内容は、例えば、図１５に示す広告表示画面７４に募金付広告７５と一緒に表示するようにしても良い。また、図１５に示す広告表示画面７４を表示部１に表示した後に表示するようにしても良い。
【００７２】
情報処理装置１００の制御部４は、図１２に示すメニュー画面６０の「募金活動終了」６５が入力部２により選択されると、募金アプリケーションの監視プログラムを終了する。これにより、情報処理装置１００の制御部４は、募金活動を終了することになる。
【００７３】
＜本実施形態の募金支援システムの作用・効果＞
本実施形態の募金支援システムの情報処理装置１００は、情報処理装置１００のアプリケーション記憶部５１に記憶された複数のアプリケーションの中から募金付広告を表示することが可能な所定のアプリケーションを入力部２により選択して実行する場合に、募金付広告を表示部１に表示する。そして、募金付広告の表示後に、入力部２により選択した所定のアプリケーションを起動する。これにより、情報処理装置１００のユーザは、情報処理装置１００のアプリケーション記憶部５１に記憶されたアプリケーションの中で募金付広告を表示することが可能な所定のアプリケーションを使用する際に、募金付広告を表示部１に表示することができる。その結果、募金活動を継続的に行うようにすることができる。また、本実施形態の情報処理装置１００は、アプリケーション記憶部５１に記憶されたアプリケーションの中で募金付広告を表示することが可能な所定のアプリケーションを使用する際に、募金付広告を表示部１に表示するため、情報処理装置１００を使用するユーザに募金付広告の表示が煩わしく感じさせてしまわないようにすることができる。また、本実施形態の情報処理装置１００は、表示部１に表示した募金付広告のログ情報である広告表示情報を募金支援サーバ２００に送信している。これにより、募金支援サーバ２００は、情報処理装置１００から受信した広告表示情報を基に、情報処理装置１００の表示部１に表示した募金付広告を把握し、募金付広告に応じた募金の処理を行うことができる。募金付広告に応じた募金の処理としては、例えば、図１１のステップＳ１２の募金情報の更新処理等があげられる。
【００７４】
また、本実施形態の情報処理装置１００の記憶部５は、募金先企業対応情報記憶部５２、企業広告対応情報記憶部５３、募金付広告ファイル記憶部５４を有し、募金先情報と募金付広告との対応関係を示す情報を記憶している。このため、情報処理装置１００の制御部４は、選択募金先情報記憶部５５に記憶された募金先情報を基に、募金先情報と募金付広告との対応関係を示す情報を記憶する記憶部５を参照し、選択募金先情報記憶部５５に記憶された募金先情報に対応する募金付広告を特定し、該特定した募金付広告を表示部１に表示することができる。このため、選択募金先情報記憶部５５に記憶された募金先情報に応じた最適な募金付広告を表示部１に表示することができる。また、情報処理装置１００の制御部４は、表示部１に表示した募金付広告のログ情報である広告表示情報に、選択募金先情報記憶部５５に記憶された募金先情報を含めて募金支援サーバ２００に送信するため、募金支援サーバ２００は、情報処理装置１００から受信した広告表示情報を基に、募金付広告に応じた募金を行う募金先を把握することができる。
【００７５】
（第２の実施形態）
次に、第２の実施形態について説明する。なお、第１の実施形態と同様の構成については説明を省略する。
【００７６】
第１の実施形態では、情報処理装置１００の制御部４は、図１１に示すように、募金アプリケーションの監視プログラムにより利用アプリケーションの起動または起動指示を検知した場合に（ステップＳ５／Ｙｅｓ）、その検知した利用アプリケーションの起動を一時停止し、その検知した利用アプリケーションが、選択アプリケーション情報記憶部５６に記憶されているか否か判定することにしている（ステップＳ６）。そして、利用アプリケーションが選択アプリケーション情報記憶部５６に記憶されている場合に（ステップＳ６／Ｙｅｓ）、募金付広告を表示することが可能なアプリケーションと判定し、募金付広告を表示部１に表示するようにしている（ステップＳ８）。
【００７７】
第２の実施形態では、情報処理装置１００は、図１７に示すように、アプリケーション記憶部５１に記憶された複数のアプリケーションの中で募金付広告を表示することが可能なアプリケーションに対して募金付広告を表示する処理を実行する広告表示プログラムを組み込むプログラム変更部４１を有して構成する。そして、情報処理装置１００の制御部４は、アプリケーション記憶部５１に記憶された複数のアプリケーションの中から入力部２により選択されたアプリケーションに広告表示プログラムが組み込まれている場合に、その広告表示プログラムを実行し、募金付広告を表示部１に表示する。これにより、情報処理装置１００のユーザは、情報処理装置１００のアプリケーション記憶部５１に記憶されたアプリケーションの中で募金付広告を表示するアプリケーションを使用する際に、募金付広告を表示部１に表示することができる。その結果、募金活動を継続的に行うようにすることができる。また、第１の実施形態のように、選択アプリケーション情報記憶部５６を参照し、入力部２により選択されたアプリケーションが募金付広告を表示するアプリケーションか否かの判定を行う必要がないため、募金付広告を表示部１に表示するまでの時間を短縮したり、利用アプリケーションを起動して使用するまでの時間を短縮したりすることができる。以下、図１７〜図２０を参照しながら、第２の実施形態について説明する。
【００７８】
＜情報処理装置１００の構成例＞
まず、図１７を参照しながら、本実施形態の情報処理装置１００の構成例について説明する。図１７は、本実施形態の情報処理装置１００の構成例を示す図である。
【００７９】
本実施形態の情報処理装置１００は、プログラム変更部４１、プログラム設定変更元情報記憶部５９を有している。プログラム変更部４１は、アプリケーション記憶部５１に記憶された複数のアプリケーションの中で募金付広告を表示することが可能なアプリケーションに対し募金付広告を表示する処理を実行する広告表示プログラムを組み込む。例えば、プログラム変更部４１は、図１８に示すように、アプリケーション記憶部５１に記憶されたアプリケーションの中から募金付広告を表示するアプリケーションとして選択したアプリケーションに組み込まれている実行プログラムを広告表示プログラムに変更してアプリケーション記憶部５１に記憶する。図１８では、「Ｐゲーム」のアプリケーションに組み込まれている実行プログラムである「Ｐ＿ｇａｍｅ．ｅｘｅ」を、広告表示プログラムである「ｋｏｕｋｏｋｕ＿ｈｙｏｕｊｉ．ｅｘｅ」に変更している。また、「Ｑメール」のアプリケーションに組み込まれている実行プログラムである「Ｑ＿ｍａｉｌ．ｅｘｅ」を、広告表示プログラムである「ｋｏｕｋｏｋｕ＿ｈｙｏｕｊｉ．ｅｘｅ」に変更している。実行プログラムとは、アプリケーションの起動指示を受け付けた場合に実行するプログラムであり、この実行プログラムを実行することで、アプリケーションを起動し、アプリケーションを情報処理装置１００で使用可能な状態にすることができる。広告表示プログラムとは、募金付広告を表示部１に表示するためのプログラムであり、この広告表示プログラムを実行することで、募金付広告を表示部１に表示することができる。
【００８０】
プログラム設定変更元情報記憶部５９は、アプリケーションに組み込まれていた実行プログラムとアプリケーション情報とを対応付けたプログラム設定変更情報を記憶する。プログラム変更部４１は、アプリケーションに組み込まれている実行プログラムを広告表示プログラムに変更した場合は、図１９に示すように、アプリケーションに組み込まれていた実行プログラムをアプリケーション情報と対応付けてプログラム設定変更元情報記憶部５９に記憶する。これにより、情報処理装置１００の制御部４は、アプリケーションに組み込まれた広告表示プログラムを実行し、募金付広告を表示部１に表示した後は、プログラム設定変更元情報記憶部５９に記憶されたプログラム設定変更元情報を基に、広告表示プログラムを行ったアプリケーションのアプリケーション情報に対応付けられた実行プログラムを実行し、アプリケーションを起動して情報処理装置１００でアプリケーションを使用可能な状態にすることができる。また、プログラム変更部４１は、プログラム設定変更元情報記憶部５９に記憶されたプログラム設定変更元情報を基に、アプリケーションに組み込まれた広告表示プログラムを元の実行プログラムに戻すこともできる。
【００８１】
アプリケーションに組み込まれている実行プログラムを広告表示プログラムに変更するタイミングとしては、例えば、図１２に示すメニュー画面６０から「募金活動開始」６４が入力部２により選択された場合に、プログラム変更部４１が選択アプリケーション情報記憶部５６を参照し、選択アプリケーション情報記憶部５６に記憶されているアプリケーション情報を特定し、その特定したアプリケーション情報を基に、アプリケーション記憶部５１を参照し、その特定したアプリケーション情報に対応するアプリケーションに組み込まれている実行プログラムを広告表示プログラムに変更する。また、図１４に示すアプリケーション選択画面７２の中からアプリケーション情報が入力部２により選択された場合に、プログラム変更部４１がその選択されたアプリケーション情報を基に、アプリケーション記憶部５１を参照し、そのその選択されたアプリケーション情報に対応するアプリケーションに組み込まれている実行プログラムを広告表示プログラムに変更する。これにより、アプリケーションに組み込まれている実行プログラムを広告表示プログラムに変更することができる。
【００８２】
アプリケーションに組み込まれた広告表示プログラムを元の実行プログラムに戻すタイミングとしては、例えば、図１２に示すメニュー画面６０から「募金活動終了」６５が入力部２により選択された場合に、プログラム変更部４１が選択アプリケーション情報記憶部５６を参照し、選択アプリケーション情報記憶部５６に記憶されているアプリケーション情報を特定し、その特定したアプリケーション情報を基に、アプリケーション記憶部５１を参照し、その特定したアプリケーション情報に対応するアプリケーションに組み込まれた広告表示プログラムを元の実行プログラムに変更する。また、選択アプリケーション情報記憶部５６からアプリケーション情報が削除された場合に、プログラム変更部４１がその削除されたアプリケーション情報を基に、アプリケーション記憶部５１を参照し、その削除されたアプリケーション情報に対応するアプリケーションに組み込まれた広告表示プログラムを元の実行プログラムに変更する。これにより、アプリケーションに組み込まれた広告表示プログラムを元の実行プログラムに変更することができる。
【００８３】
情報処理装置１００の制御部４は、アプリケーション記憶部５１に記憶されたアプリケーションに組み込まれた広告表示プログラムを実行した場合は、第１の実施形態と同様な処理を行い、募金付広告を表示部１に表示する。具体的には、情報処理装置１００の制御部４は、選択募金先情報記憶部５５を参照し、選択募金先情報記憶部５５に記憶されている募金先情報を基に、募金先企業対応情報記憶部５２を参照し、募金先情報に対応付けられた企業情報を募金先企業対応情報記憶部５２から特定する。そして、情報処理装置１００の制御部４は、募金先企業対応情報記憶部５２から特定した企業情報を基に、企業広告対応情報記憶部５３を参照し、企業情報に対応付けられた広告情報の中から既定の順番で広告情報を企業広告対応情報記憶部５３から読み出す。そして、情報処理装置１００の制御部４は、企業広告対応情報記憶部５３から読み出した広告情報を基に、募金付広告ファイル記憶部５４を参照し、広告情報に対応する募金付広告ファイルを募金付広告ファイル記憶部５４から読み出し、その広告ファイルを基に、例えば、図１５に示す広告表示画面７４に募金付広告７５を表示する。これにより、広告表示プログラムを実行することで、第１の実施形態と同様に募金付広告を表示部１に表示することができる。
【００８４】
本実施形態の情報処理装置１００の制御部４は、図２０に示すように、利用アプリケーションが入力部２により選択された場合に（ステップＳ２０／Ｙｅｓ）、その利用アプリケーションに組み込まれた実行プログラム、または、広告表示プログラムを実行する（ステップＳ２１）。利用アプリケーションに組み込まれた実行プログラムを実行した場合は、利用アプリケーションを起動し、利用アプリケーションを使用可能な状態にすることになる（ステップＳ２２）。また、利用アプリケーションに組み込まれた広告表示プログラムを実行した場合は、募金付広告を表示部１に表示する（ステップＳ２３）。そして、情報処理装置１００の制御部４は、募金付広告を表示部１に表示した後に、プログラム設定変更元情報記憶部５９に記憶されたプログラム設定変更元情報を基に、利用アプリケーションに対応する実行プログラムを実行し、利用アプリケーションを起動し、利用アプリケーションを使用可能な状態にする（ステップＳ２４）。例えば、図１８に示す「Ｏゲーム」の利用アプリケーションが入力部２により選択された場合は、その「Ｏゲーム」の実行プログラムである「ｏ＿ｇａｍｅ．ｅｘｅ」を実行し、「Ｏゲーム」を起動し、「Ｏゲーム」を情報処理装置１００で使用可能な状態にする。これにより、情報処理装置１００のユーザは、「Ｏゲーム」を利用することができる。また、図１８に示す「Ｐゲーム」の利用アプリケーションが入力部２により選択された場合は、その「Ｐゲーム」の広告表示プログラムである「ｋｏｕｋｏｋｕ＿ｈｙｏｕｊｉ．ｅｘｅ」を実行し、募金付広告を表示部１に表示する。そして、募金付広告を表示部１に表示した後に、図１９に示すプログラム設定変更元情報記憶部５９に記憶されたプログラム設定変更元情報を基に、「Ｐゲーム」の実行プログラムである「Ｐ＿ｇａｍｅ．ｅｘｅ」を実行し、「Ｐゲーム」を起動し、「Ｐゲーム」を情報処理装置１００で使用可能な状態にする。これにより、情報処理装置１００のユーザは、募金付広告を表示部１に表示した後に、「Ｐゲーム」を利用することができる。
【００８５】
なお、上記実施形態では、プログラム変更部４１は、図１８に示すように、アプリケーション記憶部５１に記憶されたアプリケーションの中から募金付広告を表示するアプリケーションとして選択したアプリケーションに組み込まれている実行プログラムを広告表示プログラムに変更してアプリケーション記憶部５１に記憶することにしている。しかし、募金付広告を表示するアプリケーションとして選択したアプリケーションに組み込まれている実行プログラムを広告表示プログラムに変更するのではなく、募金付広告を表示するアプリケーションとして選択したアプリケーションに組み込まれている実行プログラムよりも処理の優先度を高くして広告表示プログラムを組み込むようにすることも可能である。これにより、情報処理装置１００の制御部４は、利用アプリケーションを起動する場合に、広告表示プログラム→実行プログラムの順番で処理を実行するため、募金付広告を表示部１に表示した後に、利用アプリケーションを利用することができる。
【００８６】
＜本実施形態の募金支援システムの作用・効果＞
本実施形態の募金支援システムの情報処理装置１００は、情報処理装置１００のアプリケーション記憶部５１に記憶された複数のアプリケーションの中から募金付広告を表示するアプリケーションとして選択したアプリケーションに組み込まれている実行プログラムを広告表示プログラムに変更してアプリケーション記憶部５１に記憶する。そして、情報処理装置１００は、情報処理装置１００のアプリケーション記憶部５１に記憶された複数のアプリケーションの中から募金付広告を表示するアプリケーションを入力部２により選択して起動する場合に、広告表示プログラムを実行して募金付広告を表示部１に表示し、その募金付広告の表示後に、実行プログラムを実行してアプリケーションを起動する。これにより、情報処理装置１００のユーザは、情報処理装置１００のアプリケーション記憶部５１に記憶されたアプリケーションの中で募金付広告を表示する所定のアプリケーションを使用する際に、募金付広告を表示部１に表示することができる。その結果、募金活動を継続的に行うようにすることができる。また、第１の実施形態のように、選択アプリケーション情報記憶部５６を参照し、入力部２により選択されたアプリケーションが募金付広告を表示するアプリケーションか否かの判定を行う必要がないため、募金付広告を表示部１に表示するまでの時間を短縮したり、利用アプリケーションを起動して使用するまでの時間を短縮したりすることができる。なお、プログラム変更部４１の機能は、制御部４が行うようにすることも可能である。
【００８７】
（第３の実施形態）
次に、第３の実施形態について説明する。なお、第１の実施形態と同様の構成については説明を省略する。
【００８８】
第２の実施形態は、情報処理装置１００のアプリケーション記憶部５１に記憶された複数のアプリケーションの中から募金付広告を表示するアプリケーションとして選択したアプリケーションに組み込まれている実行プログラムを広告表示プログラムに変更してアプリケーション記憶部５１に記憶する。そして、情報処理装置１００は、情報処理装置１００のアプリケーション記憶部５１に記憶された複数のアプリケーションの中から募金付広告を表示するアプリケーションを入力部２により選択して起動する場合に、広告表示プログラムを実行して募金付広告を表示部１に表示し、その募金付広告の表示後に、実行プログラムを実行してアプリケーションを起動するようにしている。即ち、第２の実施形態では、アプリケーション記憶部５１に記憶されたアプリケーションのプログラムを書き換えるようにしている。
【００８９】
第３の実施形態は、情報処理装置１００の表示部１は、アプリケーション記憶部５１に記憶されたアプリケーションのアイコンを表示する。そして、第３の実施形態の情報処理装置１００は、図２１に示すように、表示部１に表示されたアイコンのアプリケーションに対応する実行プログラムが格納されたリンク先である第１のリンク先情報をアイコンと対応付けて記憶することが可能なリンク先情報記憶部４２と、そのリンク先情報記憶部４２に記憶されている第１のリンク先情報を、募金付広告を表示する処理を実行する広告表示プログラムが格納されたリンク先である第２のリンク先情報に変更するリンク先情報変更部４３と、リンク先情報記憶部４２に記憶されていた第１のリンク先情報とアイコンとを対応付けたリンク先設定変更情報を記憶するリンク先設定変更元情報記憶部４４と、を有して構成する。そして、情報処理装置１００の制御部４は、表示部１に表示されたアイコンが入力部２により選択された場合に、リンク先情報記憶部４２を参照し、入力部２により選択されたアイコンに対応付けられたリンク先情報が第２のリンク先情報である場合は、第２のリンク先情報を基に、広告表示プログラムを読み出して実行し、募金付広告を表示部１に表示する。そして、募金付広告の表示後に、リンク先設定変更元情報記憶部４４を参照し、入力部２により選択されたアイコンに対応付けられた第１のリンク先情報を基に、入力部２により選択されたアイコンのアプリケーションに対応する実行プログラムを読み出して実行し、アプリケーションを起動する。これにより、情報処理装置１００のユーザは、情報処理装置１００のアプリケーション記憶部５１に記憶されたアプリケーションの中で募金付広告を表示するアプリケーションを使用する際に、募金付広告を表示部１に表示することができる。その結果、募金活動を継続的に行うようにすることができる。また、第２の実施形態のように、アプリケーション記憶部５１に記憶されたアプリケーションのプログラムを書き換えずに、広告表示プログラムを実行して、募金付広告を表示することができる。以下、図２１〜図２５を参照しながら、第３の実施形態について説明する。
【００９０】
＜情報処理装置１００の構成例＞
まず、図２１を参照しながら、本実施形態の情報処理装置１００の構成例について説明する。図２１は、本実施形態の情報処理装置１００の構成例を示す図である。
【００９１】
本実施形態の情報処理装置１００は、リンク先情報記憶部４２、リンク先情報変更部４３、リンク先設定変更元情報記憶部４４を有している。リンク先情報記憶部４２は、表示部１に表示されたアイコンのアプリケーションに対応する実行プログラムが格納されたリンク先である第１のリンク先情報をアイコンと対応付けて記憶する。リンク先情報記憶部４２は、例えば、図２２に示すように、アイコンと、第１のリンク先情報と、を対応付けて記憶する。図２２では、「Ｏゲーム」のアプリケーションのアイコンと、その「Ｏゲーム」のアイコンのアプリケーションに対応する実行プログラムである「Ｏ＿ｇａｍｅ．ｅｘｅ」が格納されたリンク先である「アプリケーション記憶部：￥Ｏゲーム￥Ｏ＿ｇａｍｅ．ｅｘｅ」の第１のリンク先情報と、が対応付けて記憶されている。また、「Ｐゲーム」のアプリケーションのアイコンと、その「Ｐゲーム」のアイコンのアプリケーションに対応する実行プログラムである「Ｐ＿ｇａｍｅ．ｅｘｅ」が格納されたリンク先である「アプリケーション記憶部：￥Ｐゲーム￥Ｐ＿ｇａｍｅ．ｅｘｅ」の第１のリンク先情報と、が対応付けて記憶されている。「アプリケーション記憶部：￥Ｏゲーム￥Ｏ＿ｇａｍｅ．ｅｘｅ」は、「Ｏゲーム」の実行プログラムである「Ｏ＿ｇａｍｅ．ｅｘｅ」がアプリケーション記憶部５１に記憶されていることを示している。「アプリケーション記憶部：￥Ｐゲーム￥Ｐ＿ｇａｍｅ．ｅｘｅ」は、「Ｐゲーム」の実行プログラムである「Ｐ＿ｇａｍｅ．ｅｘｅ」がアプリケーション記憶部５１に記憶されていることを示している。
【００９２】
リンク先情報変更部４３は、リンク先情報記憶部４２に記憶されている第１のリンク先情報を、募金付広告を表示する処理を実行する広告表示プログラムが格納されたリンク先である第２のリンク先情報に変更する。リンク先情報変更部４３は、アプリケーション記憶部５１に記憶されたアプリケーションの中から募金付広告を表示するアプリケーションが入力部２により選択された場合に、その入力部２により選択されたアプリケーションの情報を基に、リンク先情報記憶部４２を参照し、募金付広告を表示するアプリケーションとして選択したアプリケーションのアイコンに対応付けられた第１のリンク先情報を第２のリンク先情報に変更する。例えば、アプリケーション記憶部５１に記憶されたアプリケーションの中から募金付広告を表示するアプリケーションとして「Ｐゲーム」のアプリケーションが入力部２により選択された場合は、その選択された「Ｐゲーム」のアプリケーションの情報を基に、リンク先情報記憶部４２を参照し、図２３に示すように、「Ｐゲーム」のアプリケーションのアイコンに対応付けられた「アプリケーション記憶部：￥Ｐゲーム￥Ｐ＿ｇａｍｅ．ｅｘｅ」の第１のリンク先情報を、募金付広告を表示する処理を実行する広告表示プログラムである「ｋｏｕｋｏｋｕ＿ｈｙｏｕｊｉ．ｅｘｅ」が格納されたリンク先である「アプリケーション記憶部：￥ｋｏｕｋｏｋｕ＿ｈｙｏｕｊｉ．ｅｘｅ」の第２のリンク先情報に変更する。「アプリケーション記憶部：￥ｋｏｕｋｏｋｕ＿ｈｙｏｕｊｉ．ｅｘｅ」は、広告表示プログラムである「ｋｏｕｋｏｋｕ＿ｈｙｏｕｊｉ．ｅｘｅ」がアプリケーション記憶部５１に記憶されていることを示している。
【００９３】
リンク先設定変更元情報記憶部４４は、リンク先情報記憶部４２に記憶されていた第１のリンク先情報とアイコンとを対応付けたリンク先設定変更情報を記憶する。リンク先情報変更部４３は、リンク先情報記憶部４２に記憶されている第１のリンク先情報を第２のリンク先情報に変更した場合は、図２４に示すように、リンク先情報記憶部４２に記憶されていた第１のリンク先情報をアイコンと対応付けてリンク先設定変更元情報記憶部４４に記憶する。これにより、情報処理装置１００の制御部４は、表示部１に表示されたアイコンが入力部２により選択された場合に、リンク先情報記憶部４２を参照し、入力部２により選択されたアイコンに対応付けられたリンク先情報が第２のリンク先情報である場合は、第２のリンク先情報を基に、広告表示プログラムを読み出して実行し、募金付広告を表示部１に表示し、募金付広告を表示部１に表示した後は、リンク先設定変更元情報記憶部４４を参照し、入力部２により選択されたアイコンに対応付けられた第１のリンク先情報を基に、入力部２により選択されたアイコンのアプリケーションに対応する実行プログラムを読み出して実行し、アプリケーションを起動して情報処理装置１００でアプリケーションを使用可能な状態にすることができる。また、リンク先情報変更部４３は、リンク先設定変更元情報記憶部４４に記憶されたリンク先設定変更元情報を基に、リンク先情報記憶部４２に記憶された第２のリンク先情報を元の第１のリンク先情報に戻すこともできる。
【００９４】
リンク先情報記憶部４２に記憶されている第１のリンク先情報を第２のリンク先情報に変更するタイミングとしては、例えば、図１２に示すメニュー画面６０から「募金活動開始」６４が入力部２により選択された場合に、リンク先情報変更部４３が選択アプリケーション情報記憶部５６を参照し、選択アプリケーション情報記憶部５６に記憶されているアプリケーション情報を特定し、その特定したアプリケーション情報を基に、リンク先情報記憶部４２を参照し、そのアプリケーション情報のアプリケーションのアイコンに対応付けられた第１のリンク先情報を第２のリンク先情報に変更する。また、図１４に示すアプリケーション選択画面７２の中からアプリケーション情報が入力部２により選択された場合に、リンク先情報変更部４３がその選択されたアプリケーション情報を基に、リンク先情報記憶部４２を参照し、その選択されたアプリケーション情報のアプリケーションのアイコンに対応付けられた第１のリンク先情報を第２のリンク先情報に変更する。これにより、リンク先情報記憶部４２に記憶されている第１のリンク先情報を第２のリンク先情報に変更することができる。
【００９５】
リンク先情報記憶部４２に記憶された第２のリンク先情報を元の第１のリンク先情報に戻すタイミングとしては、例えば、図１２に示すメニュー画面６０から「募金活動終了」６５が入力部２により選択された場合に、リンク先情報変更部４３が選択アプリケーション情報記憶部５６を参照し、選択アプリケーション情報記憶部５６に記憶されているアプリケーション情報を特定し、その特定したアプリケーション情報を基に、リンク先情報記憶部４２を参照し、そのアプリケーション情報のアプリケーションのアイコンに対応付けられた第２のリンク先情報を元の第１のリンク先情報に変更する。また、選択アプリケーション情報記憶部５６からアプリケーション情報が削除された場合に、リンク先情報変更部４３がその削除されたアプリケーション情報を基に、リンク先情報記憶部４２を参照し、その削除されたアプリケーション情報のアプリケーションのアイコンに対応付けられた第２のリンク先情報を元の第１のリンク先情報に変更する。これにより、リンク先情報記憶部４２に記憶されている第２のリンク先情報を元の第１のリンク先情報に変更することができる。
【００９６】
情報処理装置１００の制御部４は、第２のリンク先情報を基に、広告表示プログラムを読み出して実行した場合は、第１の実施形態と同様な処理を行い、募金付広告を表示部１に表示する。具体的には、情報処理装置１００の制御部４は、選択募金先情報記憶部５５を参照し、選択募金先情報記憶部５５に記憶されている募金先情報を基に、募金先企業対応情報記憶部５２を参照し、募金先情報に対応付けられた企業情報を募金先企業対応情報記憶部５２から特定する。そして、情報処理装置１００の制御部４は、募金先企業対応情報記憶部５２から特定した企業情報を基に、企業広告対応情報記憶部５３を参照し、企業情報に対応付けられた広告情報の中から既定の順番で広告情報を企業広告対応情報記憶部５３から読み出す。そして、情報処理装置１００の制御部４は、企業広告対応情報記憶部５３から読み出した広告情報を基に、募金付広告ファイル記憶部５４を参照し、広告情報に対応する募金付広告ファイルを募金付広告ファイル記憶部５４から読み出し、その広告ファイルを基に、例えば、図１５に示す広告表示画面７４に募金付広告７５を表示する。これにより、広告表示プログラムを実行することで、第１の実施形態と同様に募金付広告を表示部１に表示することができる。
【００９７】
本実施形態の情報処理装置１００の制御部４は、図２５に示すように、表示部１に表示されたアイコンが入力部２により選択された場合に（ステップＳ３０／Ｙｅｓ）、リンク先情報記憶部４２を参照し、入力部２により選択されたアイコンに対応付けられた第１のリン先情報、または、第２のリンク先情報を基に、プログラムを読み出して実行する（ステップＳ３１）。第１のリンク先情報を基に、実行プログラムを読み出して実行した場合は、入力部２により選択されたアイコンのアプリケーションを起動し、そのアプリケーションを使用可能な状態にすることになる（ステップＳ３２）。また、第２のリンク先情報を基に、広告表示プログラムを読み出して実行した場合は、募金付広告を表示部１に表示する（ステップＳ３３）。そして、情報処理装置１００の制御部４は、募金付広告を表示部１に表示した後に、リンク先設定変更元情報記憶部４４を参照し、入力部２により選択されたアイコンに対応付けられた第１のリンク先情報を基に、入力部２により選択されたアイコンのアプリケーションに対応する実行プログラムを読み出して実行し、入力部２により選択されたアイコンのアプリケーションを起動し、そのアプリケーションを使用可能な状態にする（ステップＳ３４）。例えば、図２３に示す「Ｏゲーム」のアプリケーションのアイコンが入力部２により選択された場合は、その「Ｏゲーム」のアプリケーションのアイコンに対応付けられた第１のリンク先情報である「アプリケーション記憶部：￥Ｏゲーム￥Ｏ＿ｇａｍｅ．ｅｘｅ」を基に、「Ｏゲーム」の実行プログラムである「Ｏ＿ｇａｍｅ．ｅｘｅ」を読み出して実行し、「Ｏゲーム」を起動し、「Ｏゲーム」を情報処理装置１００で使用可能な状態にする。これにより、情報処理装置１００のユーザは、「Ｏゲーム」を利用することができる。また、図２３に示す「Ｐゲーム」のアプリケーションのアイコンが入力部２により選択された場合は、その「Ｐゲーム」のアプリケーションのアイコンに対応付けられた第２のリンク先情報である「アプリケーション記憶部：￥ｋｏｕｋｏｋｕ＿ｈｙｏｕｊｉ．ｅｘｅ」を基に、広告表示プログラムである「ｋｏｕｋｏｋｕ＿ｈｙｏｕｊｉ．ｅｘｅ」を読み出して実行し、募金付広告を表示部１に表示する。そして、募金付広告を表示部１に表示した後に、図２４に示すリンク先設定変更元情報記憶部４４を参照し、「Ｐゲーム」のアイコンに対応付けられた第１のリンク先情報である「アプリケーション記憶部：￥Ｐゲーム￥Ｐ＿ｇａｍｅ．ｅｘｅ」を基に、「Ｐゲーム」の実行プログラムである「Ｐ＿ｇａｍｅ．ｅｘｅ」を読み出して実行し、「Ｐゲーム」を起動し、「Ｐゲーム」を情報処理装置１００で使用可能な状態にする。これにより、情報処理装置１００のユーザは、募金付広告を表示部１に表示した後に、「Ｐゲーム」を利用することができる。
【００９８】
＜本実施形態の募金支援システムの作用・効果＞
本実施形態の募金支援システムの情報処理装置１００は、表示部１に表示されたアイコンのアプリケーションに対応する実行プログラムが格納されたリンク先である第１のリンク先情報をアイコンと対応付けて記憶することが可能なリンク先情報記憶部４２と、そのリンク先情報記憶部４２に記憶されている第１のリンク先情報を、募金付広告を表示する処理を実行する広告表示プログラムが格納されたリンク先である第２のリンク先情報に変更するリンク先情報変更部４３と、リンク先情報記憶部４２に記憶されていた第１のリンク先情報とアイコンとを対応付けたリンク先設定変更情報を記憶するリンク先設定変更元情報記憶部４４と、を有して構成する。そして、情報処理装置１００は、表示部１に表示されたアイコンが入力部２により選択された場合に、リンク先情報記憶部４２を参照し、入力部２により選択されたアイコンに対応付けられたリンク先情報が第２のリンク先情報である場合は、第２のリンク先情報を基に、広告表示プログラムを読み出して実行し、募金付広告を表示部１に表示する。そして、募金付広告の表示後に、リンク先設定変更元情報記憶部４４を参照し、入力部２により選択されたアイコンに対応付けられた第１のリンク先情報を基に、入力部２により選択されたアイコンのアプリケーションに対応する実行プログラムを読み出して実行し、アプリケーションを起動する。これにより、情報処理装置１００のユーザは、情報処理装置１００のアプリケーション記憶部５１に記憶されたアプリケーションの中で募金付広告を表示するアプリケーションを使用する際に、募金付広告を表示部１に表示することができる。その結果、募金活動を継続的に行うようにすることができる。また、第２の実施形態のように、アプリケーション記憶部５１に記憶されたアプリケーションのプログラムを書き換えずに、広告表示プログラムを実行して、募金付広告を表示することができる。なお、リンク先情報変更部４３の機能は、制御部４が行うようにすることも可能である。
【００９９】
（第４の実施形態）
次に、第４の実施形態について説明する。なお、第１の実施形態と同様の構成については説明を省略する。
【０１００】
第４の実施形態は、図２６に示すように、表示部１に表示された利用アプリケーションのアイコンである利用アイコン８０が入力部２によりドラッグされて表示部１に表示された募金アプリケーションのアイコンである募金アイコン８１上にドロップされた場合に、募金付広告を表示部１に表示する。そして、募金付広告を表示部１に表示した後に、利用アイコン８０の利用アプリケーションを起動する。これにより、選択アプリケーション情報記憶部５６にアプリケーション情報を記憶しなくとも、募金付広告を表示部１に表示することができる。なお、図２７に示すように、表示部１に表示された利用アイコン８０が入力部２によりクリックまたはタップされた場合は、その利用アイコン８０の利用アプリケーションを起動することになる。この場合は、募金付広告を表示部１に表示させずに、利用アプリケーションを利用することができる。
【０１０１】
なお、選択アプリケーション情報記憶部５６にアプリケーション情報を記憶する場合は、以下のような処理動作を行うことができる。まず、図２６に示すように、表示部１に表示された利用アイコン８０が入力部２によりドラッグされて表示部１に表示された募金アイコン８１上にドロップされた場合に、選択アプリケーション情報記憶部５６を参照し、利用アイコン８０のアプリケーション情報が選択アプリケーション情報記憶部５６に記憶されているか否か判定する。利用アイコン８０のアプリケーション情報が選択アプリケーション情報記憶部５６に記憶されている場合は、募金付広告を表示部１に表示する。そして、募金付広告を表示部１に表示した後に、利用アイコン８０の利用アプリケーションを起動する。また、利用アイコン８０のアプリケーション情報が選択アプリケーション情報記憶部５６に記憶されていない場合は、利用アイコン８０の利用アプリケーションを起動する。
【０１０２】
＜本実施形態の募金支援システムの作用・効果＞
本実施形態の募金支援システムの情報処理装置１００は、表示部１に表示された利用アイコン８０を入力部２により選択し、表示部１に表示された募金アイコン８１上に移動させた場合に、募金付広告を表示部１に表示する。これにより、表示部１に表示されたアイコンを操作するだけで、募金付広告を表示部１に表示することができる。
【０１０３】
（第５の実施形態）
次に、第５の実施形態について説明する。なお、第１の実施形態と同様の構成については説明を省略する。
【０１０４】
第５の実施形態は、図２８に示すように、表示部１に表示された募金アイコン８１が入力部２によりドラッグされて表示部１に表示された利用アイコン８０上にドロップされた場合に、募金付広告を表示部１に表示する。そして、募金付広告を表示部１に表示した後に、利用アイコン８０の利用アプリケーションを起動する。これにより、選択アプリケーション情報記憶部５６にアプリケーション情報を記憶しなくとも、募金付広告を表示部１に表示することができる。なお、図２７に示すように、表示部１に表示された利用アイコン８０が入力部２によりクリックまたはタップされた場合は、その利用アイコン８０の利用アプリケーションを起動することになる。この場合は、募金付広告を表示部１に表示させずに、利用アプリケーションを利用することができる。
【０１０５】
なお、選択アプリケーション情報記憶部５６にアプリケーション情報を記憶する場合は、以下のような処理動作を行うことができる。表示部１に表示された募金アイコン８１が入力部２によりドラッグされて表示部１に表示された利用アイコン８０上にドロップされた場合に、選択アプリケーション情報記憶部５６を参照し、利用アイコン８０のアプリケーション情報が選択アプリケーション情報記憶部５６に記憶されているか否か判定する。利用アイコン８０のアプリケーション情報が選択アプリケーション情報記憶部５６に記憶されている場合は、募金付広告を表示部１に表示する。そして、募金付広告を表示部１に表示した後に、利用アプリケーションを起動する。また、利用アイコン８０のアプリケーション情報が選択アプリケーション情報記憶部５６に記憶されていない場合は、利用アプリケーションを起動する。
【０１０６】
＜本実施形態の募金支援システムの作用・効果＞
本実施形態の募金支援システムの情報処理装置１００は、表示部１に表示された募金アイコン８１を入力部２により選択し、表示部１に表示された利用アイコン８０上に移動させた場合に、募金付広告を表示部１に表示する。これにより、表示部１に表示されたアイコンを操作するだけで、募金付広告を表示部１に表示することができる。
【０１０７】
（第６の実施形態）
次に、第６の実施形態について説明する。なお、第１の実施形態と同様の構成については説明を省略する。
【０１０８】
第１の実施形態では、募金を行う募金先の募金先情報と、募金付広告を表示するアプリケーションのアプリケーション情報と、を別々に設定し、選択募金先情報記憶部５５と選択アプリケーション情報記憶部５６とに別々に記憶するようにしている。そして、募金付広告を表示するアプリケーションの種類にかかわらず、選択募金先情報記憶部５５に記憶された募金先情報の募金先に対して募金を行うようにしている。
【０１０９】
第６の実施形態では、募金を行う募金先の募金先情報と、募金付広告を表示するアプリケーションのアプリケーション情報と、を対応付けて設定し、図２９に示すように、アプリケーション情報と募金先情報とを対応付けて選択アプリケーション情報記憶部５６に記憶するようにする。そして、募金付広告を表示するアプリケーションの種類に応じた募金先情報の募金先に募金活動を行うようにする。これにより、募金付広告を表示するアプリケーション毎に所望の募金先に募金活動を行うことができる。例えば、図２９に示す情報が選択アプリケーション情報記憶部５６に記憶されている場合は、「Ｐゲーム」のアプリケーションを使用する場合は、「Ａ団体」の募金先に募金活動を行うことになる。また、「Ｑメール」のアプリケーションを使用する場合は、「Ｂ基金」の募金先に募金活動を行うことになる。なお、図２９に示すように、アプリケーション情報と募金先情報とを対応付けて選択アプリケーション情報記憶部５６に記憶する場合は、選択募金先情報記憶部５５は不要となる。
【０１１０】
なお、本実施形態の情報処理装置１００の記憶部５は、第１の実施形態と同様に、募金先企業対応情報記憶部５２、企業広告対応情報記憶部５３、募金付広告ファイル記憶部５４を有し、募金先情報と募金付広告との対応関係を示す情報を記憶している。このため、情報処理装置１００の制御部４は、選択アプリケーション情報記憶部５６に記憶された募金先情報を基に、募金先情報と募金付広告との対応関係を示す情報を記憶する記憶部５を参照し、選択アプリケーション情報記憶部５６に記憶された募金先情報に対応する募金付広告を特定し、該特定した募金付広告を表示部１に表示することができる。このため、選択アプリケーション情報記憶部５６に記憶された募金先情報に応じた最適な募金付広告を表示部１に表示することができる。また、情報処理装置１００の制御部４は、表示部１に表示した募金付広告のログ情報である広告表示情報に、選択アプリケーション情報記憶部５６に記憶された募金先情報を含めて募金支援サーバ２００に送信するため、募金支援サーバ２００は、情報処理装置１００から受信した広告表示情報を基に、募金付広告に応じた募金を行う募金先を把握することができる。
【０１１１】
＜本実施形態の募金支援システムの作用・効果＞
本実施形態の募金支援システムの情報処理装置１００は、アプリケーション情報と募金先情報とを対応付けて選択アプリケーション情報記憶部５６に記憶する。そして、募金付広告を表示するアプリケーションの種類に応じた募金先情報の募金先に募金活動を行うようにする。これにより、募金付広告を表示するアプリケーション毎に所望の募金先に募金活動を行うことができる。
【０１１２】
（第７の実施形態）
次に、第７の実施形態について説明する。なお、第１の実施形態と同様の構成については説明を省略する。
【０１１３】
第１の実施形態では、図１４に示すアプリケーション選択画面７２を表示部１に表示し、そのアプリケーション選択画面７２に表示されたアプリケーション情報の一覧の中から少なくとも１つ以上のアプリケーション情報が入力部２により選択され、決定ボタン７３が入力部２により選択された場合に、その選択されたアプリケーション情報を選択アプリケーション情報記憶部５６に記憶することにしている。
【０１１４】
第７の実施形態では、図２６に示すように、表示部１に表示された利用アイコン８０が入力部２によりドラッグされて表示部１に表示された募金アイコン８１上にドロップされた場合に、利用アイコン８０のアプリケーション情報を選択アプリケーション情報記憶部５６に記憶する。これにより、表示部１に表示された利用アイコン８０を操作するだけで、アプリケーション情報を選択アプリケーション情報記憶部５６に記憶することができる。
【０１１５】
なお、表示部１に表示された利用アイコン８０を操作するだけで、アプリケーション情報を選択アプリケーション情報記憶部５６から削除することも可能である。例えば、情報処理装置１００の制御部４は、表示部１に表示された利用アイコン８０が入力部２によりドラッグされて表示部１に表示された募金アイコン８１上にドロップされた場合に、利用アイコン８０のアプリケーション情報が選択アプリケーション情報記憶部５６に記憶されているか否か判別し、選択アプリケーション情報記憶部５６に記憶されていない場合は、利用アイコン８０のアプリケーション情報を選択アプリケーション情報記憶部５６に記憶する。また、利用アイコン８０のアプリケーション情報が選択アプリケーション情報記憶部５６に記憶されている場合は、利用アイコン８０のアプリケーション情報を選択アプリケーション情報記憶部５６から削除する。これにより、１回目のドラッグ＆ドロップ操作でアプリケーション情報を選択アプリケーション情報記憶部５６に記憶し、２回目のドラッグ＆ドロップ操作でアプリケーション情報を選択アプリケーション情報記憶部５６から削除することができる。この制御を行う場合は、利用アイコン８０を表示部１に表示する際の表示形式を、選択アプリケーション情報記憶部５６にアプリケーション情報が記憶されている場合と記憶されていない場合とで異なるようにすることが好ましい。これにより、表示部１に表示された利用アイコン８０の表示形式により、その利用アプリケーションが募金付広告を表示するアプリケーションか否かを容易に把握することができる。なお、本実施形態の方法は、上述した各実施形態に組み合わせて行うことが可能である。但し、第４、第５の実施形態に組み合わせる場合は、図１２に示すメニュー画面６０の「募金活動開始」６４の選択項目を選択して募金活動を開始する前、または、図１２に示すメニュー画面６０の「募金活動終了」６５の選択項目を選択して募金活動を終了した後に行うことになる。これにより、利用アイコン８０のドラッグ＆ドロップ操作が利用アプリケーションを起動するための操作なのか、または、利用アプリケーションのアプリケーション情報を選択アプリケーション情報記憶部５６に記憶するための操作なのかを区分けすることができる。
【０１１６】
＜本実施形態の募金支援システムの作用・効果＞
本実施形態の募金支援システムの情報処理装置１００は、表示部１に表示された利用アイコン８０を入力部２により選択し、表示部１に表示された募金アイコン８１上に移動させた場合に、利用アイコン８０のアプリケーション情報を選択アプリケーション情報記憶部５６に記憶する。これにより、表示部１に表示されたアイコンを操作するだけで、アプリケーション情報を選択アプリケーション情報記憶部５６に記憶することができる。
【０１１７】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１１８】
例えば、募金付広告を表示部１に表示する際に、広告表示情報記憶部５７に記憶された広告表示情報の履歴を基に、既定の時間（例えば、同日、２４時間以内など）に募金されている場合は、募金付広告を表示部１に表示せずに、利用アプリケーションを起動して実行するようにすることも可能である。但し、選択募金先情報記憶部５５に複数の募金先情報が記憶されている場合は、全ての募金先情報の募金先に募金されている場合に、募金付広告を表示部１に表示せずに、利用アプリケーションを起動して実行することになる。これにより、１つの募金先に対して１回の募金活動を行うようにすることができる。
【０１１９】
また、募金先企業対応情報記憶部５２に記憶されている募金先情報に対して複数の企業情報が対応付けられている場合は、その各企業情報の企業の募金付広告が表示部１に表示されている場合に、募金付広告を表示部１に表示せずに、利用アプリケーションを起動して実行するようにすることも可能である。これにより、１つの募金先に対して各企業が１回だけ募金活動を行うようにすることができる。
【０１２０】
また、第１の実施形態では、募金先企業対応情報記憶部５２で募金先情報に対応付けられた企業情報の企業が提供する募金付広告を表示部１に表示するようにしている。しかし、情報処理装置１００のユーザの嗜好情報を特定し、その特定したユーザの嗜好情報に対応する募金付広告を表示部１に表示することも可能である。これにより、情報処理装置１００のユーザの嗜好情報に適した募金付広告を表示部１に表示することができる。なお、情報処理装置１００のユーザの嗜好情報は、例えば、ユーザの嗜好情報を特定するための各種情報をユーザが入力部２から入力して特定するようにしても良い。具体的には、ユーザの趣味を特定する情報（車、旅行、食、ガーデニング等の情報）を入力部２から入力する。また、ユーザの年齢を特定する情報（１０代、２０代、３０代等の情報）を入力部２から入力する。これにより、入力部２から入力された情報を基に、ユーザの年齢と趣味とを特定することができるため、そのユーザの年齢、趣味に応じた募金付広告を表示部１に表示することができる。例えば、ユーザの趣味として車が入力され、ユーザの年齢として２０代が入力された場合は、車や２０代の属性に対応する車やガソリンスタンド等の属性の募金付広告を表示部１に表示することができる。また、情報処理装置１００でユーザが閲覧した各コンテンツ情報の履歴情報や閲覧時間、コンテンツ情報に対するユーザ操作を基に、ユーザの嗜好情報を特定するようにしても良い。コンテンツ情報に対するユーザ操作とは、そのコンテンツ情報に対して良いコメントをしたり、そのコンテンツ情報を保存したりする操作を意味する。各コンテンツ情報の履歴情報を解析することで、どの属性のコンテンツ情報を頻繁に閲覧しているかを特定することができる。また、閲覧時間を解析することで、どの属性のコンテンツ情報を長く閲覧しているかを特定することができる。また、コンテンツ情報に対するユーザ操作を解析することで、どの属性のコンテンツ情報に対して頻繁に操作しているかを特定することができる。これにより、情報処理装置１００でユーザが閲覧した各コンテンツ情報の履歴情報や閲覧時間、コンテンツ情報に対するユーザ操作を基に、ユーザの嗜好情報を特定し、そのユーザの嗜好情報に適した募金付広告を表示部１に表示することができる。
【０１２１】
また、第１の実施形態では、募金対象の募金先を選択し、選択募金先情報記憶部５５に記憶している。そして、募金先企業対応情報記憶部５２を参照し、選択募金先情報記憶部５５に記憶された募金先情報に対応付けられた企業情報を特定し、その企業情報が提供する募金付広告を表示部１に表示するようにしている。そして、募金付広告を提供する企業が募金先に募金を行うようにしている。しかし、企業広告対応情報記憶部５３に記憶されている図４に示す企業情報の中から企業情報を入力部２により選択し、その入力部２により選択した企業情報の企業が提供する募金付広告を表示部１に表示するようにすることも可能である。そして、入力部２により選択した企業情報に募金先企業対応情報記憶部５２で対応付けられている募金先情報の募金先に募金活動を行うようにすることも可能である。このように、企業を選択し、その選択した企業に対応する募金付広告を表示部１に表示し、選択した企業に対応する募金先に募金活動を行うようにすることも可能である。
【０１２２】
また、企業広告対応情報記憶部５３に記憶されている図４に示す募金金額の中から募金金額を入力部２により選択し、その入力部２により選択した募金金額に対応する募金付広告を表示部１に表示するようにすることも可能である。そして、表示部１に表示した募金付広告を提供する企業が募金先に募金を行うようにすることも可能である。なお、図４では、募金金額を広告情報に対応付けるようにしている。しかし、例えば、募金先企業対応情報記憶部５２で企業情報に対応付けて募金金額を記憶し、入力部２により選択した募金金額に対応する企業情報の企業が提供する募金付広告を表示部１に表示するようにすることも可能である。また、募金先企業対応情報記憶部５２で募金先情報に対応付けて募金金額を記憶し、入力部２により選択した募金金額に対応する募金先を決定し、その募金先の募金情報に対応付けて募金先企業対応情報記憶部５２に記憶されている企業情報の企業が提供する募金付広告を表示部１に表示するようにすることも可能である。
【０１２３】
また、上記実施形態では、情報処理装置１００は、情報処理装置１００の募金先企業対応情報記憶部５２、企業広告対応情報記憶部５３、募金付広告ファイル記憶部５４に記憶されている各種情報を用いて募金付広告を表示部１に表示するようにしている。しかし、情報処理装置１００は、募金支援サーバ２００の募金先企業対応情報記憶部１３２、企業広告対応情報記憶部１３３、募金付広告ファイル記憶部１３４に記憶されている各種情報を用いて募金付広告を表示部１に表示することも可能である。
【０１２４】
また、上記実施形態の募金支援システムは、募金先端末３００と企業端末４００とを有して構成し、募金先端末３００と企業端末４００との間で募金金額の支払いの遣り取りを行い、企業側が募金先に募金金額を支払う場合について説明した。しかし、本実施形態の募金支援システムは、募金先端末３００と企業端末４００とがなくても、募金先や企業の担当者がメール等で募金金額を人的に処理したり、募金先が用意する振込用紙を用いて企業が募金金額を支払うなどの処理を行い、企業側が募金先に募金金額を支払うようにすることも可能である。
【０１２５】
また、上記実施形態の募金支援システムを構成する各装置における制御動作は、ハードウェア、ソフトウェア、あるいは、両者の複合構成を用いて実行することも可能である。
【０１２６】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【０１２７】
例えば、プログラムは、記録媒体としてのハードディスクやＲＯＭ（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【０１２８】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【０１２９】
プログラムの形態としては、クラウド等によるネット上のサーバからの利用もありえる。一部のプログラムのみをコンピュータに転送して利用する形態もありえる。
【０１３０】
また、上記実施形態の募金支援システムを構成する各装置は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【符号の説明】
【０１３１】
１００    情報処理装置
２００    募金支援サーバ
３００    募金先端末
４００    企業端末
ＮＷ    ネットワーク
１    表示部
２    入力部
３    通信部
４    制御部
４１    プログラム変更部
４２    リンク先情報記憶部
４３    リンク先情報変更部
４４    リンク先設定変更元情報記憶部
５    記憶部
５１    アプリケーション記憶部
５２    募金先企業対応情報記憶部
５３    企業広告対応情報記憶部
５４    募金付広告ファイル記憶部
５５    選択募金先情報記憶部
５６    選択アプリケーション情報記憶部
５７    広告表示情報記憶部
５８    募金報告情報記憶部
５９    プログラム設定変更元情報記憶部
１１    通信部
１２    制御部
１３    記憶部
１３１    アプリケーション記憶部
１３２    募金先企業対応情報記憶部
１３３    企業広告対応情報記憶部
１３４    募金付広告ファイル記憶部
１３５    募金情報記憶部
１３６    募金報告情報記憶部
【図１】
2016057671.tif 000003
【図２】
2016057671.tif 000004
【図３】
2016057671.tif 000005
【図４】
2016057671.tif 000006
【図５】
2016057671.tif 000007
【図６】
2016057671.tif 000008
【図７】
2016057671.tif 000009
【図８】
2016057671.tif 000010
【図９】
2016057671.tif 000011
【図１０】
2016057671.tif 000012
【図１１】
2016057671.tif 000013
【図１２】
2016057671.tif 000014
【図１３】
2016057671.tif 000015
【図１４】
2016057671.tif 000016
【図１５】
2016057671.tif 000017
【図１６】
2016057671.tif 000018
【図１７】
2016057671.tif 000019
【図１８】
2016057671.tif 000020
【図１９】
2016057671.tif 000021
【図２０】
2016057671.tif 000022
【図２１】
2016057671.tif 000023
【図２２】
2016057671.tif 000024
【図２３】
2016057671.tif 000025
【図２４】
2016057671.tif 000026
【図２５】
2016057671.tif 000027
【図２６】
2016057671.tif 000028
【図２７】
2016057671.tif 000029
【図２８】
2016057671.tif 000030
【図２９】
2016057671.tif 000031